(57)【要約】      （修正有）【課題】鼻や耳の負担を軽減させるために、耳の上部内側の凹部を利用して、耳の形状に合わせて確実に密着する耳挟持具を提供することを課題とする。【解決手段】レンズや機器を耳輪上部で保持する耳挟持具であって、側頭部と耳上部との間の耳介側頭溝に嵌って前記レンズや前記機器を支持する支持フレームと、耳輪前方の前記支持フレームに連結された連結点から一方に伸びて耳甲介舟に嵌り、他方にも伸びて耳輪の内側の窪みにも嵌る第二押え部材とを有し、前記支持フレームの前記連結点を支持する回転モーメントが、前記支持フレームと前記第二押え部材とによる耳輪上部の挟持によって阻止される構成である。【選択図】図２
2018112662.tif 000002
【特許請求の範囲】
【請求項１】
側頭部と耳上部との間の耳介側頭溝に嵌る第一押え部材と、該第一押え部材の先端に連結された連結点から伸びて耳甲介舟に嵌る、及び／又は、耳輪の内側の窪みに嵌る第二押え部材とでもって耳輪上部を挟持することを特徴とする耳挟持具。
【請求項２】
レンズや機器を耳輪上部で保持する耳挟持具であって、側頭部と耳上部との間の耳介側頭溝に嵌って前記レンズや前記機器を支持する支持フレームと、耳輪前方の前記支持フレームに連結され、その連結点から伸びて耳甲介舟に嵌る、及び／又は、耳輪の内側の窪みに嵌る第二押え部材とを有し、前記支持フレームの前記連結点を支点とする回転モーメントが、前記支持フレームと前記第二押え部材とによる耳輪上部の挟持によって阻止されることを特徴とする耳挟持具。
【請求項３】
前記第二押え部材が二手に分かれ、分かれた一方の押え部材が前記耳甲介舟に嵌り、他方の押え部材が前記耳輪の内側の窪みに嵌り、これらの押え部材の間隔が調整可能に構成されていることを特徴とする請求項１又は２に記載の耳挟持具。
【請求項４】
前記第一押え部材又は前記支持フレーム及び／又は、前記第二押え部材が、所定以上の力で変形する部材及び／又は、弾性体で構成されていることを特徴とする請求項１又は２に記載の耳挟持具。
【請求項５】
前記第二押え部材が、前記連結点を中心として、前記第一押え部材又は前記支持フレームに沿う方向の第一回転軸、及び／又は、前記第一押え部材又は前記支持フレームと直交する方向の第二回転軸、を介して回動可能に設けられていることを特徴とする請求項１から３の何れかに記載の耳挟持具。
【請求項６】
前記第一回転軸及び／又は前記第二回転軸には、前記第一押え部材又は前記支持フレームに向けて、前記第二押え部材を付勢するバネが設けられていることを特徴とする請求項５に記載の耳挟持具。
【請求項７】
前記支持フレームに連結された前記第二押え部材が、前記支持フレームに対して前後方向に移動可能に、及び／又は、着脱可能に取り付けられていることを特徴とする請求項２、３、５、６のいずれかに記載の耳挟持具。
【請求項８】
前記第一押え部材又は前記支持フレームが耳輪の裏側と側頭部との隙間を埋めるブロックを備えていることを特徴とする請求項１、２、４のいずれかに記載の耳挟持具。
【請求項９】
こめかみ及び／又は側頭部に当たる前記支持フレームの部位には、緩衝部材が設けられていることを特徴とする請求項２又は５から８の何れかに記載の耳挟持具。
【請求項１０】
前記支持フレーム又は前記第一押え部材の先端に取り付けられる連結部材が、前記支持フレーム又は前記第一押え部材に対し、前記レンズや前記機器を上下方向に跳ね上げる第三回転軸を備えるとともに、前記レンズや前記機器が前記連結部材に対して前後方向に移動可能に構成されていることを特徴とする請求項１、２、５、６のいずれかに記載の耳挟持具。
【請求項１１】
一対の前記支持フレームの後端部には、後頭部を回って前記支持フレームの前記回転モーメントを相殺する後頭押え部材が、上下方向に回動可能及び／又は着脱可能に設けられていることを特徴とする請求項２又は６から８の何れか又は１０に記載の耳挟持具。
【請求項１２】
前記後頭押え部材が変形する部材及び／又は弾性体で構成されていることを特徴とする請求項１１記載の耳挟持具。
【請求項１３】
前記支持フレームの前端部又は前記連結部材の前端部には、前記レンズ又は前記機器が水平方向又は上下方向に回動可能及び／又は、着脱可能に取り付けられていることを特徴とする請求項２又は５から１１の何れかに記載の耳挟持具。
【請求項１４】
前記第一回転軸には、前記第二押え部を該第一回転軸回りに回動させる第一駆動部及び／又は、前記第二回転軸には、前記第二押え部材を該第二回転軸回りに回動させる第二駆動部が設けられていることを特徴とする請求項５に記載の耳挟持具。
【請求項１５】
前記第三回転軸には、前記レンズや前記機器を該第三回転軸回りに回動させる第三駆動部及び／又は、前記レンズや前記機器を前後方向に移動させる第四駆動部が設けられていることを特徴とする請求項１０に記載の耳挟持具。
【請求項１６】
前記支持フレームの前端部又は前記連結部材の前端部には、前記レンズ又は前記機器を水平方向に回動させる第五駆動部及び／又は、上下方向に回動させる第六駆動部が設けられていることを特徴とする請求項１３に記載の耳挟持具。
【請求項１７】
前記耳挟持具に、眼鏡、ＬＥＤライト付眼鏡、イヤホン、マイクロホン、携帯電話器、携帯電話と通信する通信機器、マスク係止具、耳つぼ指圧具、ウェアラブル機器、カメラ、双眼鏡、耳式血圧装置、血流量センサーの何れかが取り付けられることを特徴とする請求項１から１６の何れかに記載の耳挟持具。
【発明の詳細な説明】
【技術分野】
【０００１】
本発明は、眼鏡や機器を耳の上部で挟持して確実に保持し、安定して装着するための耳挟持具に関する。
【背景技術】
【０００２】
従来、眼鏡はモダンを耳の耳介側頭溝に掛けて,鼻パッドを使用して装着しているので、レンズ部に取り付けた鼻パッドは、鼻に負担をかけている。出願人が先に「眼鏡」特許第５３６８６５７号，「眼鏡」特許第５４０６４１１号，「眼鏡」特許第５４５１９３５号を取得している。これらの「眼鏡」は、眼鏡を保持するために耳朶の裏表面に当接させている保持体と、挟持ストッパーが協働して挟持することによって、眼鏡を安定して固定しているが、人の耳は柔軟でありその形状は様々である。眼鏡を保持する耳の耳介側頭溝に沿わせることはできるが、耳朶を挟持して耳に対する負担を軽減させて、眼鏡を装着感が良く安定して固定させるには、さらなる改良を必要とする。
【０００３】
この問題に対しては、例えば、出願人が先に出願して、特許査定となっている下記特許文献１、２は、湾曲部の上方後方の傾斜した部分の支点と、耳挿入部が押し圧する耳甲介の後方内面との、垂直方向の二カ所で眼鏡を保持し、さらに湾曲部に連結された連結部は、耳輪を乗り越えて耳の表側に延設されて、耳挿入部に連結されているので、連結部の長さは短くコンパクトであるが、眼鏡装着時には髪の毛に絡み易く、電話をかける時に、連結部がスピーカーに当接して音声が聞きとれ難くなるおそれがある。
【先行技術文献】
【特許文献】
【０００４】
【特許文献１】特願２０１６−０５６５７４
【特許文献２】特願２０１６−０５６５７５
【発明の概要】
【発明が解決しようとする課題】
【０００５】
眼鏡は、レンズや機器の重量が鼻の両側の柔らかい皮膚面を押圧し、鼻パッドが当接した部分は変色して跡が残る。そうした製品を長時間装着することが問題であることは変わらない。本発明は、こうした問題を解決しようとするもので、鼻や耳の負担を軽減させるために、耳の上部内側の凹部を利用して、耳の形状に合わせて確実に密着する耳挟持具を提供することを課題とする。
【課題を解決するための手段】
【０００６】
第１発明の耳挟持具は、側頭部と耳上部との間の耳介側頭溝に嵌る第一押え部材と、該第一押え部材の先端に連結された連結点から伸びて耳甲介舟に嵌る、及び／又は、耳輪の内側の窪みに嵌る第二押え部材とでもって耳輪上部を挟持することを特徴とする。
【０００７】
第２発明の耳挟持具は、レンズや機器を耳輪上部で保持する耳挟持具であって、側頭部と耳上部との間の耳介側頭溝に嵌って前記レンズや前記機器を支持する支持フレームと、耳輪前方の前記支持フレームに連結され、その連結点から伸びて耳甲介舟に嵌る、及び／又は、耳輪の内側の窪みに嵌る第二押え部材とを有し、前記支持フレームの前記連結点を支点とする回転モーメントが、前記支持フレームと前記第二押え部材とによる耳輪上部の挟持によって阻止されることを特徴とする。
【０００８】
第３発明の耳挟持具は、第１発明又は第２発明において、前記第二押え部材が二手に分かれ、分かれた一方の押え部材が前記耳甲介舟に嵌り、他方の押え部材が前記耳輪の内側の窪みに嵌り、これらの押え部材の間隔が調整可能に構成されていることを特徴とする。この場合の第二押え部材は、前記連結点から二手に分岐させても良いし、連結点を過ぎた途中から二手に分岐させても良い。前者の場合は、連結点にヒンジ機構を組み込むことで、分岐先の各押え部材を独立的に動かして各押え部材間の間隔を調整することができる。また、後者の場合は、一方の押え部材を変形可能な部材で構成して間隔を調整する。
【０００９】
第４発明の耳挟持具は、第１発明又は第２発明において、前記第一押え部材又は前記支持フレーム及び／又は、前記第二押え部材が、所定以上の力で変形する部材及び／又は、弾性体で構成されていることを特徴とする。
【００１０】
第５発明の耳挟持具は、第１発明から第３発明のいずれかにおいて、前記第二押え部材が、前記連結点を中心として、前記第一押え部材又は前記支持フレームに沿う方向の第一回転軸、及び／又は、前記第一押え部材又は前記支持フレームと直交する方向の第二回転軸、を介して回動可能に設けられていることを特徴とする。
【００１１】
第６発明の耳挟持具は、第５発明において、前記第一回転軸及び／又は前記第二回転軸には、前記第一押え部材又は前記支持フレームに向けて、前記第二押え部材を付勢するバネが設けられていることを特徴とする。
【００１２】
第７発明の耳挟持具は、第２、第３、第５、第６発明の何れかにおいて、前記支持フレームに連結された前記第二押え部材が、前記支持フレームに対して前後方向に移動可能に、及び／又は、着脱可能に取り付けられていることを特徴とする。
【００１３】
第８発明の耳挟持具は、第１、第２、第４発明の何れかにおいて、前記第一押え部材又は前記支持フレームが耳輪の裏側と側頭部との隙間を埋めるブロックを備えていることを特徴とする。
【００１４】
第９発明の耳挟持具は、第２、又は第５発明から第８発明の何れかにおいて、こめかみ及び／又は側頭部に当たる前記支持フレームの部位には、緩衝部材が設けられていることを特徴とする
【００１５】
第１０発明の耳挟持具は、第１、第２、第５、第６発明の何れかにおいて、前記支持フレーム又は前記第一押え部材の先端に取り付けられる連結部材が、前記支持フレーム又は前記第一押え部材に対し、前記レンズや前記機器を上下方向に跳ね上げる第三回転軸を備えるとともに、前記レンズや前記機器が前記連結部材に対して前後方向に移動可能に構成されていることを特徴とする。
【００１６】
第１１発明の耳挟持具は、第２又は第６から第８のいずれか又は第１０発明において、一対の前記支持フレームの後端部には、後頭部を回って前記支持フレームの前記回転モーメントを相殺する後頭押え部材が、上下方向に回動可能及び／又は着脱可能に設けられていることを特徴とする。
【００１７】
第１２発明の耳挟持具は、第１１発明において、前記後頭押え部材が変形する部材及び／又は弾性体で構成されていることを特徴とする。
【００１８】
第１３発明の耳挟持具は、第２又は第５から第１１発明の何れかにおいて、前記支持フレームの前端部又は前記連結部材の前端部には、前記レンズ又は前記機器が水平方向又は上下方向に回動可能及び／又は、着脱可能に取り付けられていることを特徴とする。
【００１９】
第１４発明の耳挟持具は、第５発明において、前記第一回転軸には、前記第二押え部を該第一回転軸回りに回動させる第一駆動部及び／又は、前記第二回転軸には、前記第二押え部材を該第二回転軸回りに回動させる第二駆動部が設けられていることを特徴とする。
【００２０】
第１５発明の耳挟持具は、第１０発明において、前記第三回転軸には、前記レンズや前記機器を該第三回転軸回りに回動させる第三駆動部及び／又は、前記レンズや前記機器を前後方向に移動させる第四駆動部が設けられていることを特徴とする。
【００２１】
第１６発明の耳挟持具は、第１３発明において、記支持フレームの前端部又は前記連結部材の前端部には、前記レンズ又は前記機器を水平方向に回動させる第五駆動部及び／又は、上下方向に回動させる第六駆動部が設けられていることを特徴とする。
【００２２】
第１７発明の耳挟持具は、第１から第１６発明のいずれかにおいて、前記耳挟持具に、眼鏡、ＬＥＤライト付眼鏡、イヤホン、マイクロホン、携帯電話器、携帯電話と通信する通信機器、マスク係止具、耳つぼ指圧具、ウェアラブル機器、カメラ、双眼鏡、耳式血圧装置、血流量センサーの何れかが取り付けられることを特徴とする。
【発明の効果】
【００２３】
第１発明の耳挟持具によれば、耳介側頭溝に嵌る第一押え部材と、耳甲介舟に嵌る、及び／又は、耳輪の内側の窪みに嵌る第二押え部材とでもって耳輪上部を挟持するので、顔面や耳に装着する各種の物を耳で確実に固定することができる。したがって、メガネの場合は、メガネに鼻パッドが無くても、それを眼前に保持することができるし、イヤホン等の場合は、頭部を激しく動かしても、それを耳に確実に固定することができる。
【００２４】
第２発明によれば、耳介側頭溝に嵌る支持フレームと、耳甲介舟に嵌る、及び／又は、耳輪の内側の窪みに嵌る第二押え部材でもって耳輪上部を挟持するので、支持フレームがメガネのテンプルとモダンで構成される場合は、例え重量の重いレンズや機器がメガネに取り付けられていても、それらを眼前で確実に固定することができる。
【００２５】
第３発明によれば、第二押え部材が二手に分かれ、分かれた一方の押え部材が前記耳甲介舟に嵌り、他方の押え部材が前記耳輪の内側の窪みに嵌り、これらの押え部材の間隔が調整可能に構成されているので、耳挟持具をさらに強固に耳に固定することができる。
【００２６】
第４発明によれば、密着できるように変形させた第一押え部材又は支持フレームでもって耳輪上部を挟持させたり、弾性体が元の位置に戻る力を利用して耳輪上部を挟持させたりすることができるから、様々なサイズの耳に耳挟持具を密着させてメガネや機器を顔面で安定化させることができる。
【００２７】
第６発明によれば、前記第一回転軸及び／又は前記第二回転軸には、前記第一押え部材又は前記支持フレームに向けて、前記第二押え部材を付勢するバネが設けられているので、耳のサイズが異なっていても、前記第二押え部材を上下左右方向に三次元的に移動させて、適宜の位置に、適宜の力加減で耳輪上部を挟んで確実に固定することができる。
【００２８】
第７発明によれば、前記支持フレームに連結された前記第二押え部材が、前記支持フレームに対して前後方向に移動可能に、及び／又は、着脱可能に取り付けられているので、装着する人のサイズに応じてメガネ等の位置を適宜に調整することができる。
【００２９】
第８発明によれば、前記第一押え部材又は前記支持フレームが耳輪の裏側と側頭部との隙間を埋めるブロックを備えているので、第一押え部材又は支持フレームのグラツキを防止して確実に耳に固定することができる。したがって、耳挟持具の装着感を良くすることができる。
【００３０】
第９発明によれば、こめかみ及び／又は側頭部に当たる前記支持フレームの部位に緩衝部材が設けられているから、支持フレームの上下左右方向のぶれを無くして、メガネ等を確実に耳に固定することができる。
【００３１】
第１０発明によれば、レンズや機器を上下方向に跳ね上げたり、前後方向に移動させたりすることができるので、レンズ部を使用しないときに、レンズ部を前方に押し出して上方に引き上げて退避させることができる。また、上下に異なった度のレンズを嵌め込むと遠近両用の眼鏡になる。
【００３２】
第１１発明によれば、後頭部を回って支持フレームの前記回転モーメントを相殺する後頭押え部材が設けられているので、重量の重いレンズや大きく重い機器が眼前に配置される場合でも、それを耳挟持具でもって確実に固定することができる。
【００３３】
第１２発明によれば、後頭押え部材が変形する部材及び／又は弾性体で構成されているので、装着する人の後頭部の形状に完全に合致させることができる。
【００３４】
第１３発明によれば、支持フレームの前端部又は連結部材の前端部には、前記レンズ又は前記機器が水平方向又は上下方向に回動可能及び／又は、着脱可能に取り付けられているので、レンズ部を、水平方向に回動させて眼前から退避させることができる。また、上下に度の異なるレンズを用いる場合は、それを上下方向に回動させることにより、レンズの度を切り替えることができる。
【００３５】
第１４発明によれば、前記第一回転軸及び／又は前記第二回転軸には、それぞれの回転軸を回動させる駆動部が設けられているので、手を使わなくても、電気信号でもって第二押え部材を自在に動かすことができる。
【００３６】
第１５発明によれば、前記レンズや前記機器を上下方向や前後方向に電気信号でもって自動的に動かすことができるので、手がふさがっていても、レンズや機器の装着位置を自動的に調整することができる。
【００３７】
第１６発明によれば、前記支持フレームの前端部又は前記連結部材の前端部には、前記レンズ又は前記機器を水平方向に回動させる第五駆動部及び／又は、鉛直方向に回動させる第六駆動部が設けられているので、前記レンズ又は前記機器を眼前から自動的に退避させたり、眼前に戻したりすることができる。
【００３８】
第１７発明によれば、前記耳挟持具に眼鏡、ＬＥＤライト付眼鏡、イヤホン、マイクロホン、携帯電話器、携帯電話と通信する通信機器、マスク保持具、耳つぼ指圧具、ウェアラブル機器、カメラ、双眼鏡、耳式血圧装置、血流量センサーの何れかを取り付けて、これらを耳で保持することができる。したがって、頭部に被る必要がないから、ヘアスタイルの乱れを気にすることなくこれらを使用することができる。
【図面の簡単な説明】
【００３９】
【図１】第１発明の実施例を示す側面図である。
【図２】第２発明の実施例を示す斜視図である。
【図３】第３発明の実施例を示す側面図である。
【図４】第４発明の実施例を示す上面図、側面図である。
【図５】第４発明の実施例を示す側面図、正面図である。
【図６】第５発明の実施例を示す斜視図である。
【図７】第６発明の実施例を示す斜視図である。
【図８】第７発明の実施例を示す斜視図である。
【図９】第８発明の実施例を示す斜視図である。
【図１０】第９発明の実施例を示す斜視図、側面図である。
【図１１】第１０発明の実施例を示す側面図である。
【図１２】第１１発明の実施例を示す側面図、斜視図である。
【図１３】第１２発明の実施例を示す上面図、側面図である。
【図１４】第１３、第１６発明の実施例を示す正面図、説明図、側面図であ          る。
【図１５】第１４、第１５、第１６発明の実施例を示す斜視図、側面図、                説明図である。
【図１６】第１７発明の実施例を示す斜視図、側面図、正面図、斜視図、正面図          である。
【図１７】第１７発明の実施例を示す側面図、斜視図である。
【図１８】第１７発明の実施例を示す斜視図、側面図、正面図である。
【図１９】第１７発明の実施例を示す側面図、斜視図である。
【図２０】第１７発明の実施例を示す側面図である。
【発明を実施するための形態】
【００４０】
以下、本発明に係る耳挟持具の実施形態の例を、様々な耳挟持具を例にして図面を参照しながら説明する。
【実施例１】
【００４１】
図１（ａ）は第１発明の耳挟持具本体を示す一実施形態の側面図であり、図１（ｂ）は第二押え部材３の後端部が下方に変形した第二押え部材３の側面図であり、図１（ｃ）は連結点７から伸びて耳甲介舟８に嵌る第二押え部材３を左耳に挟持したこと示す側面図である。図１（ｄ）は第１発明の別の耳挟持具として、連結点７から伸びて耳輪５の内側の窪みに嵌る第二押え部材３を示す一実施形態の側面図であり、図１（ｅ）この別の第二押え部材３を取り付けた耳挟持具を左耳に挟持したこと示す側面図である。図１（ｆ）は連結点７から二手に分かれ、耳甲介舟８と耳輪５の内側の窪みに嵌る第二押え部材３を示す側面図である。これらの図において、第１発明の耳挟持具は、側頭部１５と耳上部との間の耳介側頭溝４に嵌る第一押え部材２と、該第一押え部材２の先端に連結された連結点７から伸びて耳甲介舟８に嵌る、及び／又は、耳輪５の内側の窪みに嵌る第二押え部材３とでもって耳輪上部を挟持することを特徴としている。
【００４２】
第１発明の耳挟持具の第一押え部材２は、耳挟持具を装着する人の側頭部１５と耳の裏側との耳介側頭溝４に嵌って密着する形状である。第二押え部材３はこの第一押え部材２の先端の連結点７から後方に伸びて、耳甲介舟８を下方の内面を押し圧している。この耳甲介舟８は耳の中心でもあり、周縁が軟骨で包囲されているので、第二押え部材３は安定して固定できる。耳輪５の内側の窪みに嵌る第１発明の別の第二押え部材３は、第二押え部材３の後方部が耳輪５の窪みの中に隠れるので、外見から見える部分が最も小さい耳挟持具である。そして、耳挟持具を装着すると、第一押え部材２と第二押え部材３とが連結している連結点７を支点９として、第一押え部材２と第二押え部材３とが耳輪５上部を上下から挟持して、耳挟持具の移動を阻止するため、耳挟持具は耳の所定の位置に保持される。
【００４３】
第１発明の別の第二押え部材３として示す図１（ｆ）は、連結点７から二手に分かれ耳甲介舟８と耳輪５の内側の窪みに嵌っているので、第一押え部材２との三方向から耳輪５上部を挟持できる。最も確実で安定した耳挟持具である。また、第二押え部材３は耳輪５より外側に突出することなく、耳の内側に収まり、後方に伸びているので、髪の毛に絡まずに装着は容易である。デザイン的にもシンプルである。
【００４４】
図１の実施形態では、耳挟持具は第二押え部材３で耳で保持するが、耳の内側は、凹凸した形状の部分が多数存在している。また、人によって凹凸の形状が異なるので、その変形例として、その人の凹凸の形状の中で、第二押え部材３が嵌り、そこから移動せずに内側を押圧する形状にすることは勿論可能である。窪みのある耳の内側であれば押圧する場所は限定されない。
【００４５】
本発明の第一押え部材２、第二押え部材３の材質は、シリコンゴム、ＡＢＳ、ＣＰ、ポリエステル、アセテート、ＰＶＣ、ポリアミド、ニュクレル、形状記憶樹脂、ベータプラスチック、チタンなどである。第二押え部材３が耳甲介舟８に接する部分の表層材としては、人肌のように柔軟な部材であるエラストマーゲル状ウレタンを用いると良い。また、肌の温度で変形する樹脂も適している。
【００４６】
以下の図では、第１発明の構成部分と同様な部分については、その説明を省略又は簡略化し、第１発明と異なる部分の実施形態について説明する。
【実施例２】
【００４７】
第２発明の耳挟持具は、レンズ２８や機器２９を耳輪５上部で保持する耳挟持具であって、側頭部１５と耳上部との間の耳介側頭溝４に嵌って前記レンズ２８や前記機器２９を支持する支持フレーム１と、耳輪５前方の前記支持フレーム１に連結され、その連結点７から伸びて耳甲介舟８に嵌る、及び／又は、耳輪５の内側の窪みに嵌る第二押え部材３とを有し、前記支持フレーム１の前記連結点７を支点とする回転モーメントが、前記支持フレーム１と前記第二押え部材３とによる耳輪５上部の挟持によって阻止されることを特徴としている。
【００４８】
図２（ａ）は第２発明の耳挟持具本体を示す一実施形態の側面図であり、図２（ｂ）は第２発明の耳挟持具を左耳に挟持した斜視図である。第２発明の支持フレーム１と第１発明の第一押え部材２との相違点は、第２発明の支持フレーム１が連結点７、支点９より前方に伸びている点であり、作用効果は同一である。支持フレーム１が前方に延設されていることにより、支持フレーム１に多種類のレンズ２８や機器２９の取り付けが容易になる。
【００４９】
図２（ｃ）は第２発明の別の耳挟持具本体の支持フレーム１設けた第二押え部材３を示す一実施形態の斜視図であり、図２（ｄ）は第二押え部材３が連結点７から伸びて耳輪５の内側の窪みに嵌る第二押え部材３を取り付けた耳挟持具を左耳に挟持したことを示す一実施形態の斜視図である。第二押え部材３は、耳輪５より外側に突出することなく、第二押え部材３の後方部が耳輪５の窪みの中に隠れるので、外見から見える部分が最も小さい耳挟持具である。
【００５０】
図２（ｅ）は第２発明の別の第二押え部材３として、耳甲介舟８と耳輪５の内側の窪みに嵌るように連結点７から二手に分かれていること示す一実施形態の斜視図である。支持フレーム１との三方向から耳輪５上部を挟持できる。最も確実で安定した耳挟持具である。
【実施例３】
【００５１】
第３発明の耳挟持具は、前記第二押え部材３が二手に分かれ、分かれた一方の押え部材が前記耳甲介舟８に嵌り、他方の押え部材が前記耳輪５の内側の窪みに嵌り、これらの押え部材の間隔が調整可能に構成されていることを特徴としている。
【００５２】
図３（ａ）は第３発明の第二押え部材３が二手に分かれ、分かれた一方の押え部材が耳輪５の内側の窪みに嵌り、他方の二押え部材を耳甲介舟８に嵌るように矢印が示す方向に曲げたことを示す一実施形態の側面図である。図３（ｂ）は分かれた一方の押え部材が耳甲介舟８に嵌り、他方の押え部材を耳輪５の内側の窪みに嵌るように矢印が示す方向に曲げたことを示す一実施形態の側面図である。
【００５３】
図３（ｃ）は第３発明の第二押え部材３が二手に分かれ、分かれた一方の押え部材が耳輪５の内側の窪みに嵌り、他方の押え部材に関節６を設け、矢印が示すように耳甲介舟８に嵌めたことを示す一実施形態の側面図である。図３（ｄ）は分かれた一方の押え部材が耳甲介舟８に嵌り、他方の押え部材に関節６を設け、耳輪５の内側の窪みに嵌るように矢印が示す方向に曲げたことを示す一実施形態の側面図である。一方の第二押え部材３を適宜の位置に固定し、他方の第二押え部材３を調整して、様々な人の耳に密着させて挟持感の良い耳挟持具にすることができる。
【実施例４】
【００５４】
第４発明の耳挟持具は、前記第一押え部材２又は前記支持フレーム１が、所定以上の力で変形する部材及び／又は、弾性体で構成されていることを特徴としている。
【００５５】
図４（ａ）は、第４発明の変形する部材で形成された第一押え部材２の一実施形態の上面図を示す。矢印が示すように第一押え部材２を耳介側頭溝４の形状に合わせ、側頭部１５に密着させるために、第一押え部材２は一定以上の力を加えると変形するが、放しても元に戻らない。図４（ｂ）は第４発明の第一押え部材２の中に入れた針金３０を、装着する人の耳介側頭溝４の形状に合わせている一実施形態の上面図を示す。針金３０の弾性により上方から適度に締まる。図４（ｃ）は支持フレーム１の中に入れた針金３０を水平方向に変形させたことを示す一実施形態の上面図である。様々な人の耳の形状に合致させることができる。図４（ｄ）は変形する部材で形成された持フレーム１を上方に曲げた場合、支持フレーム１を耳に挟持すると、支持フレーム１の先端の位置が上方に変更され、高さ調整が可能である。左右に曲げた場合は左右方向の調整が可能である。
【００５６】
図５（ａ）、図５（ｂ）は第４発明の第二押え部材３を一定の力を加えることによって変形する部材とし、上方に曲げて挟持することを示す一実施形態の側面図である。このときの挟持する押し圧の調整が可能である。第４発明の耳挟持具に係る第二押え部材３が、弾性的に戻る力を利用して耳を挟持する方法として、図５（ｃ）は第４発明の弾性的に変形する第二押え部材３を指で外側に引っ張り出している正面図である。図４（ｄ）は第二押え部材３を指で下側に押し下げている正面図である。図４（ｅ）は第二押え部材３が弾性による力で内側に戻ることを示す正面図である。図４（ｆ）は第二押え部材３が弾性による力で上方に戻どり、耳甲介舟８を下方から押し圧することを示す正面図である。第二押え部材３を指先で摘まみ、一連の動作をすることにより、適宜の力で耳輪５の上部を上下から挟持させるので、簡単に確実に適宜の位置に固定することができる。
【実施例５】
【００５７】
第５発明の耳挟持具は、前記第二押え部材３が、前記連結点７を中心として、前記第一押え部材２又は前記支持フレーム１に沿う方向の第一回転軸１１、及び／又は、前記第一押え部材２又は前記支持フレーム１と直交する方向の第二回転軸１２、を介して回動可能に設けられていることを特徴としている。
【００５８】
図６（ａ）は、第５発明に係る第一回転軸１１及び第二回転軸１２の一実施形態を示し、支持フレーム１に回動可能に取り付けたことを示す斜視図である。第二押え部材３に一定以上の力を加えると、矢印の示す方向である上下方向と水平方向に回動するが、放しても元に戻らないようになっている。図６（ｂ）は第二回転軸１２に取り付けた第二押え部材３を外側に広げて、支持フレーム１を耳に掛けた状態を示す一実施形態の斜視図である。図６（ｃ）は第二押え部材３を耳甲介舟８の窪んだ位置まで内側へ押し入れた状態を示す一実施形態の斜視図である。
【００５９】
図６（ｄ）は第二押え部材３を上方に押し上げて、耳甲介舟８の内側に押し圧した状態を示す一実施形態の斜視図である。これにより、第一回転軸１１と直交している第二回転軸１２が三次元的に回動して、第二押え部材３を耳甲介舟８の中の適宜の位置に入れ易くしている。使用した後は、第二押え部材３を支持フレーム１に沿わせればコンパクトになる。
【実施例６】
【００６０】
第６発明の耳挟持具は、前記第一回転軸１１及び／又は前記第二回転軸１２には、前記第一押え部材２又は前記支持フレーム１に向けて、前記第二押え部材３を付勢するバネ１７が設けられていることを特徴としている。
【００６１】
図７（ａ）は第６発明の第一回転軸１１及び第二回転軸１２にバネ１７を巻き付けたことを示す一実施形態の斜視図である。第一回転軸１１の外側に巻き付けたバネ１７の一方端を支持フレーム１に固定し、他方端を第二回転軸１２の軸受に固定している。第二回転軸１２の外側に巻き付けたバネ１７の一方端を第二回転軸１２の軸受に固定し、他方端を第二押え部材３に固定している。これにより、矢印が示すように、第二押え部材３の後端部は耳甲介舟８を下方から上方に、外側から内側へ付勢する力が働き、変位した位置から元の位置まで戻り、耳の上部を挟持することができる。付勢する力は三次元的に第二押え部材３を動かし、後端部に設けた柔軟性のある当接部材を適宜の位置に保持することができる。様々な人の耳甲介舟８の形状に対応できる。
【００６２】
図７（ｂ）は第二押え部材３の後端部が耳輪５の内側の窪みに嵌り、耳輪５の窪みを下方から上方に、外側から内側へ付勢する力が働き、変位した位置から元の位置まで戻り、耳の上部を挟持できることを示す一実施形態の斜視図である。第二押え部材３が耳輪５の内側の窪みに接する長さは長く、嵌り易い形状であり、挟持感は非常に良く安定している。図７（ｃ）はバネ１７を取り付けた耳輪５の内側の窪み嵌る押え部材と、バネ１７を取り付けた耳甲介舟８に嵌る押え部材の二本を設けることにより、それぞれに別の付勢する力が働き、広い部分を挟持できるので、非常に安定している。
【実施例７】
【００６３】
第７発明の耳挟持具は、前記支持フレーム１に連結された前記第二押え部材３が、前記支持フレーム１に対して前後方向に移動可能に、及び／又は、着脱可能に取り付けられていることを特徴としている。
【００６４】
図８（ａ）は第７発明の耳挟持具の第二押え部材３を支持フレーム挟持具２１に取り付け、支持フレーム挟持具２１に設けた溝が支持フレーム１に一定以上の力で嵌め込んだことを示す一実施形態の斜視図である。前後方向に移動可能にすることにより、多く人の適宜な耳の位置に装着可能となる。
【００６５】
図８（ｂ）は第７発明の耳挟持具の第二押え部材３を支持フレーム挟持具２１に取り付け、この支持フレーム挟持具２１が支持フレーム１を上下方向から挟持したことを示す一実施形態の斜視図である。支持フレーム挟持具２１に支持フレーム１を挟み込む上下面に凹部を設け、この凹部に支持フレーム１を上下から嵌め込んで、ネジ２５で締め付けて固定している。太さの異なる形状の支持フレーム１、テンプル２３に対応できる。前後方向に自由に移動させることができるので、レンズと目との間を示す角膜頂点間距離１２ｍｍの調整も可能となる。これにより、市販された眼鏡のテンプル２３に取り付けることができるので、鼻に負担のかからない装着感の良い耳挟持具として便利に使用できる。
【００６６】
図８（ｃ）は、第７発明の耳挟持具の第二押え部材３を支持フレーム挟持具２１に取り付け、この支持フレーム挟持具２１が支持フレーム１を左右方向から挟持したことを示す一実施形態の斜視図である。支持フレーム挟持具２１に支持フレーム１を挟み込む側面に凹部を設け、この凹部に支持フレーム１を左右から嵌め込んで、ネジ２５で締め付けて固定している。高さの異なった形状の支持フレーム１に対応できる。前後方向に自由に移動させることができるので、レンズと目との間を示す角膜頂点間距離１２ｍｍの調整が可能となる。
【００６７】
図８（ｄ）は、第７発明の耳挟持具の第二押え部材３を支持フレーム挟持具２１に取り付け、支持フレーム１に設けた複数の穴に、支持フレーム挟持具２１をネジ２５で締め付けたことを示す一実施形態の斜視図である。支持フレーム挟持具２１には、耳輪５の内側の窪み嵌る第二押え部材３が取り付けられていて、締め付ける穴の位置を代えることにより、前後方向に自由に移動させることができるので、多く人が装着可能となる。横長のシンプルなデザインである。
【実施例８】
【００６８】
第８発明の耳挟持具は、前記第一押え部材２又は前記支持フレーム１が耳輪５の裏側と側頭部１５との隙間を埋めるブロック１０を備えていることを特徴としている。
【００６９】
図９（ａ）は、第８発明のブロック１０を取り付けた耳挟持具を耳に掛けた一実施形態の斜視図である。耳輪５の裏側と側頭部１５との隙間に嵌って密着する形状のブロック１０を、第一押え部材２と一体化させて耳輪５の裏側に設けているので、外側からはブロック１０は目立たない、耳輪５の裏側と側頭部１５とに密着しているので、装着感は良い。そして、ブロック１０を軽量にするために中空にした形状でも良い。
【００７０】
図９（ｂ）は、第８発明のブロック１０がＶ字形状をしている耳挟持具を耳に掛けた一実施形態の斜視図である。耳挟持具を軽く安定的に保持させるために、耳輪５の裏側と側頭部１５に密着しているブロック１０のＶ字形状を拡大させて、横ぶれを防止して固定することができる。
【実施例９】
【００７１】
第９発明の耳挟持具は、こめかみ２２及び／又は側頭部１５に当たる前記支持フレーム１の部位には、緩衝部材１６が設けられていることを特徴としている。
【００７２】
図１０（ａ）は、第９発明に係る緩衝部材１６を支持フレーム１に取り付けた一実施形態を示す斜視図であり、図９（ｂ）は、緩衝部材１６を取り付け眼鏡を掛けた人の一実施形態を示す側面図である。支持フレーム１を装着する様々な人の耳や側頭部１５に合わせるために、最適な位置に緩衝部材１６を取り付けている。柔軟性のある緩衝部材１６で隙間を埋めることにより、大きな機器や重い機器であっても耳挟持具の縦横のぶれを阻止し、装着感を良くすることができる。
【実施例１０】
【００７３】
第１０発明の耳挟持具は、前記支持フレーム１又は前記第一押え部材２の先端に取り付けられる連結部材１９が、前記支持フレーム１又は前記第一押え部材２に対し、前記レンズ２８や前記機器２９を上下方向に跳ね上げる第三回転軸１３を備えるとともに、前記レンズ２８や前記機器２９が前記連結部材１９に対して前後方向に移動可能に構成されていることを特徴としている。
【００７４】
図１１（ａ）は第２、第６発明に係る耳挟持具に、第１０発明に支持フレーム１の先端に取り付けた連結部材１９に、眼鏡３６のテンプル２３を差し込み、それを人がかけたことを示す一実施形態の側面図であり、 図１１（ｂ）は連結部材１９に差し込んで保持したテンプル２３を、第三回転軸１３によって僅かに上下方向に回動したことを示す一実施形態の側面図である。レンズ２８を適宜の目の高さに合わせることができるので、レンズ２８の上下に異なる度のレンズ２８を嵌め込むことにより遠近両用の眼鏡になる。
【００７５】
図１１（ｃ）はレンズ２８を退避させるためにレンズ２８を前方に引出したことを示す一実施形態の側面図であり、図１１（ｄ）はそのレンズ２８を付けたテンプル２３を上方に上げて退避させたことを示す側面図であり、図１１（ｅ）は連結部材１９に差し込んだテンプル２３が前後方向に移動可能であることを示す一実施形態の説明図である。テンプル２３を前方に引出し、顔面に接しないようにレンズ２８を上方に上げると、第三回転軸１３が締まって拘束されるようになっている。レンズ部を退避させる方法として便利に使用することができる。また、前後方向に移動できることは、眼鏡にとって、最も重要なレンズ２８と目との間の角膜頂点間距離１２ｍｍの調整が可能になり、適宜の位置でレンズ２８を固定することができる。
【実施例１１】
【００７６】
第１１発明の耳挟持具は、一対の前記支持フレーム１の後端部には、後頭部を回って前記支持フレーム１の前記回転モーメントを相殺する後頭押え部材２０が、上下方向に回動可能及び／又は着脱可能に設けられていることを特徴としている。
【００７７】
図１２（ａ）は、第１１発明の後頭押え部材２０を一対の支持フレーム１の各後端に取り付け、耳挟持具を取り付けた眼鏡３６を掛けた人の一実施形態の側面図である。後頭押え部材２０が後頭部全体に沿って当接しているので、支持フレーム１に重いレンズ２８を設けても、回転モーメントが受け止められ、長時間装着しても装着感が良く安定して固定することができる。 図１２（ｂ）は第１１発明の後頭押え部材２０を一対の支持フレーム１の各後端に取り付けた耳挟持具を示す一実施形態の斜視図である。接続部材２７により後頭押え部材２０の長さ調整と着脱可能である。 図１２（ｃ）は後頭押え部材２０が支持フレーム１にネジ２５で取り付けられ、矢印が示すように上下方向に移動させて、後頭部の形状に合わせることができる。
【実施例１２】
【００７８】
第１２発明の耳挟持具は、前記後頭押え部材２０が変形する部材及び／又は弾性体で構成されていることを特徴としている。
【００７９】
図１３（ａ）は第１２発明の変形する部材で構成された後頭押え部材２０を示す上面図であり、図１３（ｂ）は第１２発明の後頭押え部材２０を側頭部１５から後頭の形状に変形させて、それをかけている人を示す一実施形態の側面図である。人の後頭部の形状は様々であり、矢印が示すようにその人の後頭部の形状に合わせることにより、後頭押え部材２０で確実に挟持することができる。回転モーメントが受け止められ、長時間装着しても装着感が良く安定して固定できる。図１３（ｃ）は第１２発明の弾性体で構成された後頭押え部材２０を示す上面図である。後頭押え部材２０が弾性体の内側に付勢することにより、耳挟持具は側頭部１５を挟持して固定される。図１３（ｄ）はベルト状の後頭押え部材２０を備えたこと示す一実施形態の側面図である。ベルトの面で保持するので、違和感はなく安定している。
【実施例１３】
【００８０】
第１３発明の耳挟持具は、前記支持フレーム１の前端部又は前記連結部材１９の前端部には、前記レンズ２８又は前記機器２９が水平方向又は上下方向に回動可能及び／又は、着脱可能に取り付けられていることを特徴としている。
【００８１】
図１４（ａ）は第１３発明のレンズ２８を支持フレーム１の前端部に水平方向に回動可能に取り付けたブリッジなし眼鏡３６の一実施形態の正面図であり、図１４（ｂ）はレンズ２８が矢印の示す水平方向に回転して、テンプル２３の外側側面に退避したことを示す一実施形態の側面図である。後頭押え部材２０を設けたブリッジなし眼鏡３６は、支持フレーム１の後端部が後頭押え部材２０に連結されているので、ブリッジなし眼鏡３６をかける時は、後頭押え部材２０を両手で持って外側に開けて頭に嵌める。レンズ２８は必要に応じて移動させれば良い。
【００８２】
図１４（ｃ）は第１３発明の前方上方に回動可能に取り付けたレンズ２８を示す一実施形態の側面図である。支持フレーム１の前端部に設けた眼鏡３６のレンズ２８を、押し上げて退避させることが可能にある。レンズ２８は必要に応じて前面に戻せば良い。図１４（ｄ）は第１３発明の眼鏡３６の左右のブリッジ５６を、中心で連結可能に取り付けたことを示す一実施形態の正面図である。花粉防止レンズのように顔面とレンズ２８との隙間をなくして密着させるためには、ブリッジ５６を接続して眼鏡３６を確実に固定させることが重要になる。図１４（ｅ）は第１３発明の上下方向に回動可能にした支持フレーム１の双眼鏡５２のレンズ２８を示す一実施形態の正面図である。双眼鏡５２のレンズ２８を覗かない時に、矢印が示すように下方に回動させてレンズ２８を退避させることができる。接続部材２７により、着脱は可能である。
【実施例１４】
【００８３】
第１４発明の耳挟持具は、前記第一回転軸１１には、前記第二押え部３を該第一回転軸回りに回動させる第一駆動部４１及び／又は、前記第二回転軸１２には、前記第二押え部材３を該第二回転軸回りに回動させる第二駆動部４２が設けられていることを特徴としている。
【００８４】
図１５（ａ）、図１５（ｂ）は第２、第６発明に係る第一回転軸１１及び第二回転軸１２に第１４発明の第一駆動部４１、第二駆動部４２を設けたことを示す斜視図である。矢印が示すように二個のモーターの連動により、三次元的な動きが可能となる。電気信号でもって下側押え部３を内側に動きながら上方に動いて、自動的に耳甲介舟８に密着させて耳上部を挟持することができる。
【実施例１５】
【００８５】
第１５発明の耳挟持具は、前記第三回転軸１３には、前記レンズ２８や前記機器２９を該第三回転軸回りに回動させる第三駆動部４３及び／又は、前記レンズ２８や前記機器２９を前後方向に移動させる第四駆動部４４が設けられていることを特徴としている。
【００８６】
図１５（ｃ）は第１０発明の連結部材１９に設けた第１５発明の第三駆動部４３を示す一実施形態の側面図である。第三駆動部４３のモーターの回動を小さくすることで、上下に度数の異なったレンズ２８を電気信号でもって変更することができる。図１５（ｄ）はレンズ部２８を前後方向に可動させるために第１６発明の第四駆動部４４を設けたこと示す一実施形態の側面図であり、図１５（ｅ）は連結部材１９の中にテンプル２３を挿入し、第四駆動部４４のモーターの回動でテンプル２３を前後方向に可動すること示す一実施形態の説明図である。図１５（ｆ）は第１０発明の連結部材１９の先端に取り付けたレンズ２８を、第四駆動部４４で前方に押し出した後、連結部材１９に設けた第三駆動部４３のモーターの回動でレンズ部２８を上方に上げ、レンズ２８を退避させたことを示す一実施形態の説明図である。第三駆動部４３、第四駆動部４４によってレンズ２８の一連の動作を自動化できる。レンズ２８や機器２９の装着位置を自動的に調整することができる。
【実施例１６】
【００８７】
第１６発明の耳挟持具は、前記支持フレーム１の前端部又は前記連結部材１９の前端部には、前記レンズ２８又は前記機器２９を水平方向に回動させる第五駆動部４５及び／又は、上下方向に回動させる第六駆動部４６が設けられていることを特徴としている。
【００８８】
第１６発明の耳挟持具は、第１４発明の実施の形態と同一であり、第１４図に第五駆動部４５、第六駆動部４６を記載して説明をする。図１４（ａ）は第２発明の支持フレーム１の前端部に設けたレンズ２８を、水平方向に回動可能にするために、第五駆動部４５を取り付けたブリッジなし眼鏡３６の一実施形態の正面図であり、図１４（ｂ）はレンズ２８が矢印の示す水平方向に回転して、テンプル２３の外側側面に退避させたことを示す側面図である。ブリッジなし眼鏡３６は支持フレーム１の後端部に後頭押え部材２０が連結されていて、ブリッジなし眼鏡３６をかける時は、レンズ２８をテンプル２３の外側に退避させておく必要がある。そのため最初にボタン操作で自動的にレンズ２８を回動させて所定の位置に停止させることができる。
【００８９】
図１４（ｅ）は第２発明の支持フレーム１の前端部に、第１６発明の第六駆動部４６を設けた双眼鏡５２のレンズ２８を、上下方向に回動可能にした一実施形態の正面図である。左右の双眼鏡５２のレンズ２８を中心のブリッジで連結しない双眼鏡であり、必要に応じてレンズ２８を電気信号でもってモーターを可動させて退避させることができる。双眼鏡５２には一対の支持フレーム１の各後端に、第１２発明の後頭押え部材２０が取り付けられているので、重い双眼鏡であっても装着感が良く、長時間便利に使用できる。
【００９０】
以上の実施形態において、駆動部は、小型モーターのほかに、固定側と可動側にそれぞれ磁石を配置して、設定した位置で可動側が安定し、そこから変位すると、可動側の磁石が固定側の磁石まで移動するような構成であっても良い。
【実施例１７】
【００９１】
第１７発明の耳挟持具は、前記耳挟持具に、眼鏡３６、ＬＥＤライト付眼鏡３７、イヤホン３８、マイクロホン３９、携帯電話器４０、携帯電話と通信する通信機器４７、マスク係止具４８、耳つぼ指圧具４９、ウェアラブル機器５０、カメラ５１、双眼鏡５２、耳式血圧装置５３、血流量センサー５４の何れかが取り付けられることを特徴としている。
【００９２】
第１６（ａ）図は第２、第４、第５発明に係る耳挟持具を設けた第１７発明の眼鏡３６を示す一実施形態の斜視図である。一定の力を加えると変形する部材の支持フレーム１と弾性的に変形する第二押え部材３を使用することにより、多く人の耳に対応して挟持できるので、サイズの異なる複数の製品を大量に製作することができる。様々なメガネに対応できるが、特に３Ｄ用メガネに適している。第１６（ｂ）図は第２、第６発明に係る耳挟持具を設けた第１７発明の眼鏡３６を示す一実施形態の側面図である。直交する第一回転軸１１と第二回転軸１２により、第二押え部材３を三次元的に動かして、耳甲介舟８に嵌めることができる。老眼鏡、サングラス、ウェアラブル機器を取り付けたメガネなどに使用できる。図示しないが、耳挟持具のテンプル２３を折り畳む時には、第二押え部材３をテンプル２３に沿わせることによって、コンパクトに収納できるので便利である。
【００９３】
第１６（ｃ）図は第２、第６発明に係る耳挟持具の支持フレーム１の後端部にバッテリー１８を取り付け、眼鏡枠の前面にＬＥＤ３７を設けた第１７発明の眼鏡３６を示す一実施形態の正面図である。眼鏡枠の前面にＬＥＤライト３７を備え、目に光が入らないようにすることにより、ＬＥＤライト３７の明るさを調整しながら対象物を見ることが容易になる。第１６（ｄ）図は第２、第３、第５、第６、第７、第１０発明に係る耳挟持具を取り付けた第１７発明の一眼用眼鏡３６を示す一実施形態の斜視図である。支持フレーム１と耳介側頭溝４に嵌るブロック１０を側頭に広い範囲に当接するように拡大させ、バネ１７を取り付けて直交する第一回転軸１１と第二回転軸１２、側頭とテンプル２３との隙間を埋める緩衝部材１６により、確実に一眼用眼鏡３６をかけることができる。第１６（ｅ）図は左側のレンズ２８を取り付けた支持フレーム１に第１２発明の後頭押え部材２０を取り付けた一眼用眼鏡３６を示す一実施形態の正面図である。一眼用眼鏡３６を確実に安定させて保持させる最も良い形態であり、髪の毛の長い人がかけた場合、後頭押え部材２０は髪の毛の中に隠れて見えない。
【００９４】
本発明で言う眼鏡は、眼鏡全般であって、ＴＶ・映画用３Ｄ用メガネ、サングラス、遮光メガネ、防塵メガネ、風防メガネ、カメラを取り付けたメガネ、拡大鏡を取り付けたメガネ、ライトを取り付けたメガネ、剣道用メガネ、ウェアラブルを取り付けたメガネ、スクリーンに表示される画像を観察するための画像観察用メガネ、拡張現実（ＡＲ）機能を備えたメガネ、手術用メガネ、花粉防止メガネ等である。
【００９５】
第１７（ａ）図は第１発明の耳挟持具の連結点７に取り付けた第１７発明のイヤホン３８を示す一実施形態の側面図である。イヤホン３８はアタッチメント５５に取り付けられ、他の機器と交換可能である。連結点７は耳挟持具の支点９でもあり、イヤホン３８を確実に取り付けて安定して保持できる。図示しないが、無線イヤホン、骨伝導イヤホン、補聴器なども取り付けることができる。第１７（ｂ)図は第１、第３発明に係る耳挟持具の連結点７に第１７発明のマイクロホン３９とイヤホン３８を取り付け、二手に分かれた第二下側押え部材３にカバーをかけたことを示す一実施形態の側面図である。第二下側押え部材３により確実にマイクロホン３９とイヤホン３８を取り付けて安定して保持できる。
【００９６】
第１７（ｃ)図は第２、第５、第８発明の支持フレーム挟持具２１に第１７発明のマイクロホン３９とイヤホン３８を取り付けた一実施形態の斜視図である。通常使用している眼鏡３６のテンプル２３に着脱自在に取り付け、眼鏡３６の挟持位置の調整ができる。第１７（ｄ)図は第２、第５発明に係る耳挟持具の支持フレーム１に設けた第二押え部材３に第１７発明のイヤホン３８を取り付けた一実施形態の斜視図である。矢印の示すように第二押え部材３とイヤホン３８を三次元的に移動させて、耳甲介舟８と外耳道に嵌めるのでイヤホン３８は外れにくい。
【００９７】
第１７（ｅ)図は第１、第５発明に係る耳挟持具の連結部７にイヤホン３８を取り付け、このイヤホン３８に、第１７発明の小型の血流量センサー５４を搭載したこと示す一実施形態の側面図である。センサーはレーザー光を血管に向けて照射し、反射光の強さなどから血流量を検知する。血流量はストレスや血圧、脱水、熱中症などによって変動するため、体の状態を測定、記録ができる。第１７（ｆ)図は第１、第３、第６発明に係る耳挟持具に、第１７発明の耳装着型の携帯電話器４０を二手に分かれた第二押え部材３に取り付けた一実施形態の側面図である。外耳道に挿入しているイヤホン３８と耳輪５の内側の窪みと耳甲介舟８に嵌っている第二押え部材３により、安定して保持することができる。携帯電話器４０の着脱は第一回転軸１１、第二回転軸１２を三次元的に回動させれば容易にできる。
【００９８】
第１７（ｇ)図は第１、第５発明に係る耳挟持具に第１７発明のイヤホン３８と携帯電話と通信する通信機器４７を取り付けた一実施形態の側面図である。携帯電話と通信する通信機器４７を第二押え部材３に取り付け確実に保持し、着脱は容易にしている。第１７（ｈ)図は第１発明に係る耳挟持具の連結点７にイヤホン３８を取り付け、第一押え部材２に第１７発明のマスク係止具４８を取り付けたことを示す一実施形態の側面図である。マスク係止具４８は耳介側頭溝４から耳朶の裏側まで嵌るので、マスクの紐は耳に食い込まない。マスクをかけながらイヤホン３８を聞くことができる。アタッチメント５５によりイヤホン３８の着脱は容易である。
【００９９】
第１８（ａ)図は第１発明の耳挟持具の第一押え部材２の後端に、第１７発明のマスク係止具４８を取り付けたことを示す一実施形態の斜視図であり、第１８（ｂ)図は第１７発明のマスク係止具４８に設けた溝にマスクの紐を引っ掛け、そのマスクをしている人を示す一実施形態の側面図である。マスク係止具４８は第一押え部材２から耳朶まで延設されており、マスクの紐が耳介側頭溝２に接することはなく、マスクの紐を強く引っ張って長時間かけていても装着感は非常に良い。マスク係止具４８の材質は柔軟性のあるシリコンゴムが良い。
【０１００】
第１８（ｃ)図は耳輪５の内側の窪みに嵌る第二押え部材３を設けた第１発明の耳挟持具に、第１７発明のマスク係止具４８を取り付けたことを示す一実施形態の斜視図であり、第１８（ｄ)図は第１７発明のマスク係止具４８に設けた溝にマスクの紐を引っ掛け、そのマスクをしている人を示す一実施形態の側面図である。マスク係止具４８はシンプルで目立たずマスクを長時間かけても装着感は良い。
【０１０１】
第１８（ｅ)図は第２、第５発明に係る耳装着具に、第１７発明のマスク係止具４８を嵌め込んだ一実施形態の側面図であり、第１８（ｆ)図は支持フレーム１に嵌め込むために、貫通孔３２を設けたマスク係止具４８の正面図である。支持フレーム１に嵌め込んだマスク係止具４８の着脱を容易にするために貫通孔３２を設け、マスクの紐を嵌める溝３１を設けている。貫通孔３２は所定以上の力で支持フレーム１を挟むのでマスク係止具４８は外れない。マスクをした場合、マスクの紐を強く引っ張って長時間かけても装着感は良い。
【０１０２】
第１９（ａ)図は第１発明の耳挟持具の連結点７に第１７発明の耳つぼ指圧器４９を取り付けたことを示す一実施形態の側面図である。耳つぼ指圧器４９は耳珠３３に当接して、耳珠３３の中にある起点と言うツボを押して刺激するとダイエットの効果がある。第１９（ｂ)図は第１発明の耳挟持具に第１７発明のマスク係止具４８と耳つぼ指圧器４９を取り付けたことを示す一実施形態の側面図である。マスクをかけながらダイエットが可能となる。
【０１０３】
第１９（ｃ)図は第２、第５、第６発明に係る耳挟持具に第１７発明の耳つぼ指圧器４９を取り付けたことを示す一実施形態の斜視図である。矢印が示すようにバネ１７の付勢する力で、耳甲介舟８と耳珠３３を押し圧するので耳ツボは刺激され、眼鏡をかけている間にダイエットできる。
【０１０４】
第２０（ａ)図は第２、第５、第１１、第１２発明に係る耳挟持具の支持フレーム１に、メガネ型の第１７発明のウェアラブル機器５０を設けたことを示す一実施形態の側面図である。後頭押え部材２０を設けることにより、回転モーメントを相殺するので、拡張現実（ＡＲ）機能を備えた重量の重いウェアラブル機器５０でも安定して保持できる。第２０（ｂ)図は第２、第５、第１１、第１２発明に係る耳挟持具の支持フレーム１にズーム機能を備えた第１７発明のカメラ５１を取り付け、目の前にディスプレイ３４を設けたことを示す一実施形態のの側面図である。側頭に設けたカメラ５１で撮った映像を、ディスプレイ３４で見るようにしたウェアラブル機器５０に、第二下側押え部材３から延設したイヤホン３８を耳に挿入している。後頭押え部材２０を設け、二個の第二下側押え部材３を取り付けることにより、回転モーメントを相殺するので、長時間かけていても装着感は非常に良い。ディスプレイ３４を回動可能に取り付けて、不必要な時、退避させることもできる。
【０１０５】
第２０（ｃ)図は第２、第５、第１０、第１１、第１２発明に係る耳挟持具の支持フレーム１に第三駆動部４３を設けた連結部材１９を取り付け、この連結部材１９に第１７発明のメガネ型の双眼鏡５２を設けたことを示す一実施形態の側面図である。後頭押え部材２０と前頭部上に前頭押え部材３５を設けることにより、回転モーメントを相殺できるので、重い双眼鏡５２を長時間かけても装着感は非常に良い。手術用の顕微鏡を支持フレーム１に取り付けることも可能である。第１５（ｃ)図、（ｆ)図に記載した第三駆動部４３を設けることにより、双眼鏡５２のレンズ２８を電動で退避できる。
【０１０６】
第２０（ｄ)図は第１、第３、第５発明に係る耳挟持具の連結点7に第１７発明の耳式血圧装置５３を設けたことを示す一実施形態の側面図である。耳式血圧装置５３で２４時間血圧の測定、記録ができる。以上、説明したように本願発明の耳挟持具は、耳に装着可能な全てのレンズ２８、機器２９など製品に備えて使用することができる。
【符号の説明】
【０１０７】
１    支持フレーム
２    第一押え部材
３    第二押え部材
４    耳介側頭溝
５    耳輪  
６    関節  
７    連結点
８    耳甲介舟
９    支点
１０  ブロック
１１  第一回転軸
１２  第二回転軸
１３  第三回転軸  
１４  第二第二押え部材
１５  側頭部
１６  緩衝部材
１７  バネ
１８  バッテリー
１９  連結部材  
２０  後頭押え部材
２１  支持フレーム挟持具
２２  こめかみ
２３  テンプル
２４  モダン
２５  ネジ
２６  補助部材
２７  接続部材
２８  レンズ
２９  機器
３０  針金
３１  溝
３２  貫通孔
３３  耳珠
３４  ディスプレイ
３５  前頭押え部材
３６  眼鏡
３７  ＬＥＤライト
３８  イヤホン
３９  マイクロホン
４０  携帯電話器
４１  第一駆動部
４２  第二駆動部
４３  第三駆動部
４４  第四駆動部
４５  第五駆動部
４６  第六駆動部
４７  携帯電話と通信する通信機器
４８  マスク係止具
４９  耳つぼ指圧具
５０  ウェアラブル機器
５１  カメラ
５２  双眼鏡
５３  耳式血圧装置
５４  血流量センサー
５５  アタッチメント
５６  ブリッジ
【図１】
2018112662.tif 000003
【図２】
2018112662.tif 000004
【図３】
2018112662.tif 000005
【図４】
2018112662.tif 000006
【図５】
2018112662.tif 000007
【図６】
2018112662.tif 000008
【図７】
2018112662.tif 000009
【図８】
2018112662.tif 000010
【図９】
2018112662.tif 000011
【図１０】
2018112662.tif 000012
【図１１】
2018112662.tif 000013
【図１２】
2018112662.tif 000014
【図１３】
2018112662.tif 000015
【図１４】
2018112662.tif 000016
【図１５】
2018112662.tif 000017
【図１６】
2018112662.tif 000018
【図１７】
2018112662.tif 000019
【図１８】
2018112662.tif 000020
【図１９】
2018112662.tif 000021
【図２０】
2018112662.tif 000022
【手続補正書】
【提出日】平成29年1月23日(2017.1.23)
【手続補正１】
【補正対象書類名】明細書
【補正対象項目名】００１０
【補正方法】変更
【補正の内容】
【００１０】
第５発明の耳挟持具は、第１発明から第３発明のいずれかにおいて、前記第二押え部材が、前記連結点を中心として、前記第一押え部材又は前記支持フレームに沿う方向及び／又は、前記第一押え部材又は前記支持フレームと直交する方向に回動可能に設けられていることを特徴とする。
【手続補正２】
【補正対象書類名】明細書
【補正対象項目名】００１１
【補正方法】変更
【補正の内容】
【００１１】
第６発明の耳挟持具は、第５発明において、前記第一押え部材又は前記支持フレームに向けて、前記第二押え部材を付勢するバネが設けられていることを特徴とする。
【手続補正３】
【補正対象書類名】明細書
【補正対象項目名】００１９
【補正方法】変更
【補正の内容】
【００１９】
第１４発明の耳装着具は、第５発明において、前記第二押え部材を前記第一押え部材又は前記支持フレームに沿う方向に回動させる第一駆動部及び／又は、前記第一押え部材又は前記支持フレームと直交する方向に回動させる第二駆動部が設けられていることを特徴とする。
【手続補正４】
【補正対象書類名】明細書
【補正対象項目名】００４４
【補正方法】変更
【補正の内容】
【００４４】
図１の実施形態では、耳挟持具は第二押え部材３で耳を保持するが、耳の内側は、凹凸した形状の部分が多数存在している。また、人によって凹凸の形状が異なるので、その変形例として、その人の凹凸の形状の中で、第二押え部材３が嵌り、そこから移動せずに内側を押圧する形状にすることは勿論可能である。窪みのある耳の内側であれば押圧する場所は限定されない。
【手続補正５】
【補正対象書類名】明細書
【補正対象項目名】００５７
【補正方法】変更
【補正の内容】
【００５７】
第５発明の耳挟持具は、前記第二押え部材３が、前記連結点７を中心として、前記第一押え部材２又は前記支持フレーム１に沿う方向及び／又は、前記第一押え部材２又は前記支持フレーム１と直交する方向に回動可能に設けられていることを特徴としている。
【手続補正６】
【補正対象書類名】明細書
【補正対象項目名】００６０
【補正方法】変更
【補正の内容】
【００６０】
第６発明の耳挟持具は、前記第一押え部材２又は前記支持フレーム１に向けて、前記第二押え部材３を付勢するバネ１７が設けられていることを特徴としている。
【手続補正７】
【補正対象書類名】明細書
【補正対象項目名】００６２
【補正方法】変更
【補正の内容】
【００６２】
図７（ｂ）は第二押え部材３の後端部が耳輪５の内側の窪みに嵌り、耳輪５の窪みを下方から上方に、外側から内側へ付勢する力が働き、変位した位置から元の位置まで戻り、耳の上部を挟持できることを示す一実施形態の斜視図である。第二押え部材３が耳輪５の内側の窪みに接する長さは長く、嵌り易い形状であり、挟持感は非常に良く安定している。図７（ｃ）はバネ１７を取り付けた耳輪５の内側の窪み嵌る第二押え部材３と、バネ１７を取り付けた耳甲介舟８に嵌る第二押え部材３の二本を設けることにより、それぞれに別の付勢する力が働き、広い部分を挟持できるので、非常に安定している。
【手続補正８】
【補正対象書類名】明細書
【補正対象項目名】００８３
【補正方法】変更
【補正の内容】
【００８３】
第１４発明の耳装着具は、前記第二押え部を前記第一押え部材又は前記支持フレームに沿う方向に回動させる第一駆動部及び／又は、前記第一押え部材又は前記支持フレームと直交する方向に回動させる第二駆動部が設けられていることを特徴としている。
【手続補正９】
【補正対象書類名】明細書
【補正対象項目名】００８４
【補正方法】変更
【補正の内容】
【００８４】
図１５（ａ）、図１５（ｂ）は第２、第６発明に係る第一回転軸１１及び第二回転軸１２に第１４発明の第一駆動部４１、第二駆動部４２を設けたことを示す一実施形態の斜視図である。矢印が示すように二個のモーターの連動により、三次元的な動きが可能となる。電気信号でもって下側押え部３を内側に動きながら上方に動いて、自動的に耳甲介舟８に密着させて耳上部を挟持することができる。
【手続補正１０】
【補正対象書類名】明細書
【補正対象項目名】０１０７
【補正方法】変更
【補正の内容】
【０１０７】
１  支持フレーム
２  第一押え部材
３  第二押え部材
４  耳介側頭溝
５  耳輪 
６  関節 
７  連結点
８  耳甲介舟
９  支点
１０ ブロック
１１ 第一回転軸
１２ 第二回転軸
１３ 第三回転軸 
１５ 側頭部
１６ 緩衝部材
１７ バネ
１８ バッテリー
１９ 連結部材 
２０ 後頭押え部材
２１ 支持フレーム挟持具
２２ こめかみ
２３ テンプル
２４ モダン
２５ ネジ
２６ 補助部材
２７ 接続部材
２８ レンズ
２９ 機器
３０ 針金
３１  溝
３２ 貫通孔
３３ 耳珠
３４ ディスプレイ
３５ 前頭押え部材
３６ 眼鏡
３７ ＬＥＤライト
３８ イヤホン
３９ マイクロホン
４０ 携帯電話器
４１ 第一駆動部
４２ 第二駆動部
４３ 第三駆動部
４４ 第四駆動部
４５ 第五駆動部
４６ 第六駆動部
４７ 携帯電話と通信する通信機器
４８ マスク係止具
４９ 耳つぼ指圧具
５０ ウェアラブル機器
５１ カメラ
５２ 双眼鏡
５３ 耳式血圧装置
５４ 血流量センサー
５５ アタッチメント
５６ ブリッジ
【手続補正１１】
【補正対象書類名】特許請求の範囲
【補正対象項目名】請求項５
【補正方法】変更
【補正の内容】
【請求項５】
前記下側押え部材が、前記連結点を中心として、前記支持フレーム又は前記上側押え部材に沿う方向及び／又は、前記支持フレーム又は前記上側押え部材と直交する方向に回動可能に設けられていることを特徴とする請求項１又は２又は４に記載の耳挟持具。
【手続補正１２】
【補正対象書類名】特許請求の範囲
【補正対象項目名】請求項６
【補正方法】変更
【補正の内容】
【請求項６】
前記上押え部材又は前記支持フレームに向けて、前記下側押え部材を付勢するバネが設けられていることを特徴とする請求項６に記載の耳挟持具。
【手続補正１３】
【補正対象書類名】特許請求の範囲
【補正対象項目名】請求項１４
【補正方法】変更
【補正の内容】
【請求項１４】
前記第二押え部を前記第一押え部材又は前記支持フレームに沿う方向に回動させる第一駆動部及び／又は、前記第一押え部材又は前記支持フレームと直交する方向に回動させる第二駆動部が設けられていることを特徴とする請求項５に記載の耳挟持具。
【手続補正書】
【提出日】平成29年1月27日(2017.1.27)
【手続補正１】
【補正対象書類名】明細書
【補正対象項目名】００１０
【補正方法】変更
【補正の内容】
【００１０】
第５発明の耳挟持具は、第１発明から第４発明のいずれかにおいて、前記第二押え部材が、前記連結点を中心として、前記耳甲介舟、及び／又は、耳輪の内側の窪みに嵌る方向に回動可能に設けられていることを特徴とする。
【手続補正２】
【補正対象書類名】明細書
【補正対象項目名】００１１
【補正方法】変更
【補正の内容】
【００１１】
第６発明の耳挟持具は、第５発明において、前記連結点には、前記第二押え部材を付勢するバネが設けられていることを特徴とする。
【手続補正３】
【補正対象書類名】明細書
【補正対象項目名】００１９
【補正方法】変更
【補正の内容】
【００１９】
第１４発明の耳装着具は、第５発明において、前記連結点には、前記第二押え部材を前記耳甲介舟、及び／又は、耳輪の内側の窪みに嵌る方向に回動させる駆動部が設けられていることを特徴とする。
【手続補正４】
【補正対象書類名】明細書
【補正対象項目名】００４４
【補正方法】変更
【補正の内容】
【００４４】
図１の実施形態では、耳挟持具は第二押え部材３で耳を保持するが、耳の内側は、凹凸した形状の部分が多数存在している。また、人によって凹凸の形状が異なるので、その変形例として、その人の凹凸の形状の中で、第二押え部材３が嵌り、そこから移動せずに内側を押圧する形状にすることは勿論可能である。窪みのある耳の内側であれば押圧する場所は限定されない。
【手続補正５】
【補正対象書類名】明細書
【補正対象項目名】００５７
【補正方法】変更
【補正の内容】
【００５７】
第５発明の耳挟持具は、前記第二押え部材が、前記連結点を中心として、前記耳甲介舟、及び／又は、耳輪の内側の窪みに嵌る方向に回動可能に設けられていることを特徴としている。
【手続補正６】
【補正対象書類名】明細書
【補正対象項目名】００６０
【補正方法】変更
【補正の内容】
【００６０】
第６発明の耳挟持具は、前記連結点には、前記第二押え部材を付勢するバネが設けられていることを特徴としている。
【手続補正７】
【補正対象書類名】明細書
【補正対象項目名】００６２
【補正方法】変更
【補正の内容】
【００６２】
図７（ｂ）は第二押え部材３の後端部が耳輪５の内側の窪みに嵌り、耳輪５の窪みを下方から上方に、外側から内側へ付勢する力が働き、変位した位置から元の位置まで戻り、耳の上部を挟持できることを示す一実施形態の斜視図である。第二押え部材３が耳輪５の内側の窪みに接する長さは長く、嵌り易い形状であり、挟持感は非常に良く安定している。図７（ｃ）はバネ１７を取り付けた耳輪５の内側の窪み嵌る第二押え部材３と、バネ１７を取り付けた耳甲介舟８に嵌る第二押え部材３の二本を設けることにより、それぞれに別の付勢する力が働き、広い部分を挟持できるので、非常に安定している。
【手続補正８】
【補正対象書類名】明細書
【補正対象項目名】００８３
【補正方法】変更
【補正の内容】
【００８３】
第１４発明の耳装着具は、前記連結点には、前記第二押え部材を前記耳甲介舟、及び／又は、耳輪の内側の窪みに嵌る方向に回動させる駆動部が設けられていることを特徴としている。
【手続補正９】
【補正対象書類名】明細書
【補正対象項目名】００８４
【補正方法】変更
【補正の内容】
【００８４】
図１５（ａ）、図１５（ｂ）は第２、第６発明に係る第一回転軸１１及び第二回転軸１２に第１４発明の第一駆動部４１、第二駆動部４２を設けたことを示す一実施形態の斜視図である。矢印が示すように二個のモーターの連動により、三次元的な動きが可能となる。電気信号でもって下側押え部３を内側に動きながら上方に動いて、自動的に耳甲介舟８に密着させて耳上部を挟持することができる。
【手続補正１０】
【補正対象書類名】明細書
【補正対象項目名】０１０７
【補正方法】変更
【補正の内容】
【０１０７】
１  支持フレーム
２  第一押え部材
３  第二押え部材
４  耳介側頭溝
５  耳輪 
６  関節 
７  連結点
８  耳甲介舟
９  支点
１０ ブロック
１１ 第一回転軸
１２ 第二回転軸
１３ 第三回転軸 
１５ 側頭部
１６ 緩衝部材
１７ バネ
１８ バッテリー
１９ 連結部材 
２０ 後頭押え部材
２１ 支持フレーム挟持具
２２ こめかみ
２３ テンプル
２４ モダン
２５ ネジ
２６ 補助部材
２７ 接続部材
２８ レンズ
２９ 機器
３０ 針金
３１  溝
３２ 貫通孔
３３ 耳珠
３４ ディスプレイ
３５ 前頭押え部材
３６ 眼鏡
３７ ＬＥＤライト
３８ イヤホン
３９ マイクロホン
４０ 携帯電話器
４１ 第一駆動部
４２ 第二駆動部
４３ 第三駆動部
４４ 第四駆動部
４５ 第五駆動部
４６ 第六駆動部
４７ 携帯電話と通信する通信機器
４８ マスク係止具
４９ 耳つぼ指圧具
５０ ウェアラブル機器
５１ カメラ
５２ 双眼鏡
５３ 耳式血圧装置
５４ 血流量センサー
５５ アタッチメント
５６ ブリッジ
【手続補正１１】
【補正対象書類名】特許請求の範囲
【補正対象項目名】請求項５
【補正方法】変更
【補正の内容】
【請求項５】
前記第二押え部材が、前記連結点を中心として、前記耳甲介舟、及び／又は、耳輪の内側の窪みに嵌る方向に回動可能に設けられていることを特徴とする請求項１から４に記載の耳挟持具。
【手続補正１２】
【補正対象書類名】特許請求の範囲
【補正対象項目名】請求項６
【補正方法】変更
【補正の内容】
【請求項６】
前記連結点には、前記第二押え部材を付勢するバネが設けられていることを特徴とする請求項５に記載の耳挟持具。
【手続補正１３】
【補正対象書類名】特許請求の範囲
【補正対象項目名】請求項１４
【補正方法】変更
【補正の内容】
【請求項１４】
前記連結点には、前記第二押え部材を前記耳甲介舟、及び／又は、耳輪の内側の窪みに嵌る方向に回動させる駆動部が設けられていることを特徴とする請求項５に記載の耳挟持具。
【手続補正書】
【提出日】平成29年1月27日(2017.1.27)
【手続補正１】
【補正対象書類名】特許請求の範囲
【補正対象項目名】請求項５
【補正方法】変更
【補正の内容】
【請求項５】
前記第二押え部材が、前記連結点を中心として、前記耳甲介舟、及び／又は、耳輪の内側の窪みに嵌る方向に回動可能に設けられていることを特徴とする請求項１から４の何れかに記載の耳挟持具。
【手続補正書】
【提出日】平成29年1月31日(2017.1.31)
【手続補正１】
【補正対象書類名】明細書
【補正対象項目名】全文
【補正方法】変更
【補正の内容】
【発明の詳細な説明】
【技術分野】
【０００１】
本発明は、眼鏡や機器を耳の上部で挟持して確実に保持し、安定して装着するための耳挟持具に関する。
【背景技術】
【０００２】
従来、眼鏡はモダンを耳の耳介側頭溝に掛けて,鼻パッドを使用して装着しているので、レンズ部に取り付けた鼻パッドは、鼻に負担をかけている。出願人が先に「眼鏡」特許第５３６８６５７号，「眼鏡」特許第５４０６４１１号，「眼鏡」特許第５４５１９３５号を取得している。これらの「眼鏡」は、眼鏡を保持するために耳朶の裏表面に当接させている保持体と、挟持ストッパーが協働して挟持することによって、眼鏡を安定して固定しているが、人の耳は柔軟でありその形状は様々である。眼鏡を保持する耳の耳介側頭溝に沿わせることはできるが、耳朶を挟持して耳に対する負担を軽減させて、眼鏡を装着感が良く安定して固定させるには、さらなる改良を必要とする。
【０００３】
この問題に対しては、例えば、出願人が先に出願して、特許査定となっている下記特許文献１、２は、湾曲部の上方後方の傾斜した部分の支点と、耳挿入部が押し圧する耳甲介の後方内面との、垂直方向の二カ所で眼鏡を保持し、さらに湾曲部に連結された連結部は、耳輪を乗り越えて耳の表側に延設されて、耳挿入部に連結されているので、連結部の長さは短くコンパクトであるが、眼鏡装着時には髪の毛に絡み易く、電話をかける時に、連結部がスピーカーに当接して音声が聞きとれ難くなるおそれがある。
【先行技術文献】
【特許文献】
【０００４】
【特許文献１】特願２０１６−０５６５７４
【特許文献２】特願２０１６−０５６５７５
【発明の概要】
【発明が解決しようとする課題】
【０００５】
眼鏡は、レンズや機器の重量が鼻の両側の柔らかい皮膚面を押圧し、鼻パッドが当接した部分は変色して跡が残る。そうした製品を長時間装着することが問題であることは変わらない。本発明は、こうした問題を解決しようとするもので、鼻や耳の負担を軽減させるために、耳の上部内側の凹部を利用して、耳の形状に合わせて確実に密着する耳挟持具を提供することを課題とする。
【課題を解決するための手段】
【０００６】
第１発明の耳挟持具は、側頭部と耳上部との間の耳介側頭溝に嵌る第一押え部材と、該第一押え部材の先端に連結された連結点から伸びて耳甲介舟に嵌る、及び／又は、耳輪の内側の窪みに嵌る第二押え部材とでもって耳輪上部を挟持することを特徴とする。
【０００７】
第２発明の耳挟持具は、レンズや機器を耳輪上部で保持する耳挟持具であって、側頭部と耳上部との間の耳介側頭溝に嵌って前記レンズや前記機器を支持する支持フレームと、耳輪前方の前記支持フレームに連結され、その連結点から伸びて耳甲介舟に嵌る、及び／又は、耳輪の内側の窪みに嵌る第二押え部材とを有し、前記支持フレームの前記連結点を支点とする回転モーメントが、前記支持フレームと前記第二押え部材とによる耳輪上部の挟持によって阻止されることを特徴とする。
【０００８】
第３発明の耳挟持具は、第１発明又は第２発明において、前記第二押え部材が二手に分かれ、分かれた一方の押え部材が前記耳甲介舟に嵌り、他方の押え部材が前記耳輪の内側の窪みに嵌り、これらの押え部材の間隔が調整可能に構成されていることを特徴とする。この場合の第二押え部材は、前記連結点から二手に分岐させても良いし、連結点を過ぎた途中から二手に分岐させても良い。前者の場合は、連結点にヒンジ機構を組み込むことで、分岐先の各押え部材を独立的に動かして各押え部材間の間隔を調整することができる。また、後者の場合は、一方の押え部材を変形可能な部材で構成して間隔を調整する。
【０００９】
第４発明の耳挟持具は、第１発明又は第２発明において、前記第一押え部材又は前記支持フレーム及び／又は、前記第二押え部材が、所定以上の力で変形する部材及び／又は、弾性体で構成されていることを特徴とする。
【００１０】
第５発明の耳挟持具は、第１発明から第３発明のいずれかにおいて、前記第二押え部材が、前記連結点を中心として、前記耳甲介舟、及び／又は、耳輪の内側の窪みに嵌る方向に回動可能に設けられていることを特徴とする。
【００１１】
第６発明の耳挟持具は、第５発明において、前記連結点には、前記第二押え部材を付勢するバネが設けられていることを特徴とする。
【００１２】
第７発明の耳挟持具は、第２、第３、第５、第６発明の何れかにおいて、前記支持フレームに連結された前記第二押え部材が、前記支持フレームに対して前後方向に移動可能に、及び／又は、着脱可能に取り付けられていることを特徴とする。
【００１３】
第８発明の耳挟持具は、第１、第２、第４発明の何れかにおいて、前記第一押え部材又は前記支持フレームが耳輪の裏側と側頭部との隙間を埋めるブロックを備えていることを特徴とする。
【００１４】
第９発明の耳挟持具は、第２、又は第５発明から第８発明の何れかにおいて、こめかみ及び／又は側頭部に当たる前記支持フレームの部位には、緩衝部材が設けられていることを特徴とする
【００１５】
第１０発明の耳挟持具は、第１、第２、第５、第６発明の何れかにおいて、前記支持フレーム又は前記第一押え部材の先端に取り付けられる連結部材が、前記支持フレーム又は前記第一押え部材に対し、前記レンズや前記機器を上下方向に跳ね上げる第三回転軸を備えるとともに、前記レンズや前記機器が前記連結部材に対して前後方向に移動可能に構成されていることを特徴とする。
【００１６】
第１１発明の耳挟持具は、第２又は第６から第８のいずれか又は第１０発明において、一対の前記支持フレームの後端部には、後頭部を回って前記支持フレームの前記回転モーメントを相殺する後頭押え部材が、上下方向に回動可能及び／又は着脱可能に設けられていることを特徴とする。
【００１７】
第１２発明の耳挟持具は、第１１発明において、前記後頭押え部材が変形する部材及び／又は弾性体で構成されていることを特徴とする。
【００１８】
第１３発明の耳挟持具は、第２又は第５から第１１発明の何れかにおいて、前記支持フレームの前端部又は前記連結部材の前端部には、前記レンズ又は前記機器が水平方向又は上下方向に回動可能及び／又は、着脱可能に取り付けられていることを特徴とする。
【００１９】
第１４発明の耳挟持具は、第５発明において、前記連結点には、前記第二押え部材を前記耳甲介舟、及び／又は、耳輪の内側の窪みに嵌る方向に回動させる駆動部が設けられていることを特徴とする。
【００２０】
第１５発明の耳挟持具は、第１０発明において、前記第三回転軸には、前記レンズや前記機器を該第三回転軸回りに回動させる第三駆動部及び／又は、前記レンズや前記機器を前後方向に移動させる第四駆動部が設けられていることを特徴とする。
【００２１】
第１６発明の耳挟持具は、第１３発明において、記支持フレームの前端部又は前記連結部材の前端部には、前記レンズ又は前記機器を水平方向に回動させる第五駆動部及び／又は、上下方向に回動させる第六駆動部が設けられていることを特徴とする。
【００２２】
第１７発明の耳挟持具は、第１から第１６発明のいずれかにおいて、前記耳挟持具に、眼鏡、ＬＥＤライト付眼鏡、イヤホン、マイクロホン、携帯電話器、携帯電話と通信する通信機器、マスク係止具、耳つぼ指圧具、ウェアラブル機器、カメラ、双眼鏡、耳式血圧装置、血流量センサーの何れかが取り付けられることを特徴とする。
【発明の効果】
【００２３】
第１発明の耳挟持具によれば、耳介側頭溝に嵌る第一押え部材と、耳甲介舟に嵌る、及び／又は、耳輪の内側の窪みに嵌る第二押え部材とでもって耳輪上部を挟持するので、顔面や耳に装着する各種の物を耳で確実に固定することができる。したがって、メガネの場合は、メガネに鼻パッドが無くても、それを眼前に保持することができるし、イヤホン等の場合は、頭部を激しく動かしても、それを耳に確実に固定することができる。
【００２４】
第２発明によれば、耳介側頭溝に嵌る支持フレームと、耳甲介舟に嵌る、及び／又は、耳輪の内側の窪みに嵌る第二押え部材でもって耳輪上部を挟持するので、支持フレームがメガネのテンプルとモダンで構成される場合は、例え重量の重いレンズや機器がメガネに取り付けられていても、それらを眼前で確実に固定することができる。
【００２５】
第３発明によれば、第二押え部材が二手に分かれ、分かれた一方の押え部材が前記耳甲介舟に嵌り、他方の押え部材が前記耳輪の内側の窪みに嵌り、これらの押え部材の間隔が調整可能に構成されているので、耳挟持具をさらに強固に耳に固定することができる。
【００２６】
第４発明によれば、密着できるように変形させた第一押え部材又は支持フレームでもって耳輪上部を挟持させたり、弾性体が元の位置に戻る力を利用して耳輪上部を挟持させたりすることができるから、様々なサイズの耳に耳挟持具を密着させてメガネや機器を顔面で安定化させることができる。
【００２７】
第５発明によれば、第二押え部材が、記連結点を中心として、耳甲介舟、及び／又は、耳輪の内側の窪みに嵌る方向に回動可能に設けられているので、第二押え部材に一定以上の力を加えて、耳甲介舟や耳輪の内側の窪みに嵌めることができる。
【００２８】
第６発明によれば、前記連結点には、前記第二押え部材を付勢するバネが設けられているので、耳のサイズが異なっていても、前記第二押え部材を上下左右方向に三次元的に移動させて、適宜の位置に、適宜の力加減で耳輪上部を挟んで確実に固定することができる。
【００２９】
第７発明によれば、前記支持フレームに連結された前記第二押え部材が、前記支持フレームに対して前後方向に移動可能に、及び／又は、着脱可能に取り付けられているので、装着する人のサイズに応じてメガネ等の位置を適宜に調整することができる。
【００３０】
第８発明によれば、前記第一押え部材又は前記支持フレームが耳輪の裏側と側頭部との隙間を埋めるブロックを備えているので、第一押え部材又は支持フレームのグラツキを防止して確実に耳に固定することができる。したがって、耳挟持具の装着感を良くすることができる。
【００３１】
第９発明によれば、こめかみ及び／又は側頭部に当たる前記支持フレームの部位に緩衝部材が設けられているから、支持フレームの上下左右方向のぶれを無くして、メガネ等を確実に耳に固定することができる。
【００３２】
第１０発明によれば、レンズや機器を上下方向に跳ね上げたり、前後方向に移動させたりすることができるので、レンズ部を使用しないときに、レンズ部を前方に押し出して上方に引き上げて退避させることができる。また、上下に異なった度のレンズを嵌め込むと遠近両用の眼鏡になる。
【００３３】
第１１発明によれば、後頭部を回って支持フレームの前記回転モーメントを相殺する後頭押え部材が設けられているので、重量の重いレンズや大きく重い機器が眼前に配置される場合でも、それを耳挟持具でもって確実に固定することができる。
【００３４】
第１２発明によれば、後頭押え部材が変形する部材及び／又は弾性体で構成されているので、装着する人の後頭部の形状に完全に合致させることができる。
【００３５】
第１３発明によれば、支持フレームの前端部又は連結部材の前端部には、前記レンズ又は前記機器が水平方向又は上下方向に回動可能及び／又は、着脱可能に取り付けられているので、レンズ部を、水平方向に回動させて眼前から退避させることができる。また、上下に度の異なるレンズを用いる場合は、それを上下方向に回動させることにより、レンズの度を切り替えることができる。
【００３６】
第１４発明によれば、前記連結点には、前記第二押え部材を前記耳甲介舟、及び／又は、耳輪の内側の窪みに嵌る方向に回動させる駆動部が設けられているので、手を使わなくても、電気信号でもって第二押え部材を自在に動かすことができる。
【００３７】
第１５発明によれば、前記レンズや前記機器を上下方向や前後方向に電気信号でもって自動的に動かすことができるので、手がふさがっていても、レンズや機器の装着位置を自動的に調整することができる。
【００３８】
第１６発明によれば、前記支持フレームの前端部又は前記連結部材の前端部には、前記レンズ又は前記機器を水平方向に回動させる第五駆動部及び／又は、鉛直方向に回動させる第六駆動部が設けられているので、前記レンズ又は前記機器を眼前から自動的に退避させたり、眼前に戻したりすることができる。
【００３９】
第１７発明によれば、前記耳挟持具に眼鏡、ＬＥＤライト付眼鏡、イヤホン、マイクロホン、携帯電話器、携帯電話と通信する通信機器、マスク保持具、耳つぼ指圧具、ウェアラブル機器、カメラ、双眼鏡、耳式血圧装置、血流量センサーの何れかを取り付けて、これらを耳で保持することができる。したがって、頭部に被る必要がないから、ヘアスタイルの乱れを気にすることなくこれらを使用することができる。
【図面の簡単な説明】
【００４０】
【図１】第１発明の実施例を示す側面図である。
【図２】第２発明の実施例を示す斜視図である。
【図３】第３発明の実施例を示す側面図である。
【図４】第４発明の実施例を示す上面図、側面図である。
【図５】第４発明の実施例を示す側面図、正面図である。
【図６】第５発明の実施例を示す側面図である。
【図７】第５発明の実施例を示す斜視図である。
【図８】第６発明の実施例を示す斜視図である。
【図９】第７発明の実施例を示す斜視図である。
【図１０】第８発明の実施例を示す斜視図である。
【図１１】第９発明の実施例を示す側面図である。
【図１２】第１０発明の実施例を示す側面図、説明図である。
【図１３】第１１発明の実施例を示す側面図、斜視図である。
【図１４】第１２発明の実施例を示す上面図、側面図である。
【図１５】第１３、１６発明の実施例を示す正面図、側面図である。
【図１６】第１４発明の実施例を示す斜視図、側面図である。
【図１７】第１４、１５発明の実施例を示す斜視図、側面図である。
【図１８】第１７発明の実施例を示す斜視図、側面図、正面図である。
【図１９】第１７発明の実施例を示す側面図、斜視図である。
【図２０】第１７発明の実施例を示す斜視図、側面図、正面図である。
【図２１】第１７発明の実施例を示す側面図、斜視図である。
【図２２】第１７発明の実施例を示す側面図である。
【発明を実施するための形態】
【００４１】
以下、本発明に係る耳挟持具の実施形態の例を、様々な耳挟持具を例にして図面を参照しながら説明する。
【実施例１】
【００４２】
図１（ａ）は第１発明の耳挟持具本体を示す一実施形態の側面図であり、図１（ｂ）は第二押え部材３の後端部が下方に変形した第二押え部材３の側面図であり、図１（ｃ）は連結点７から伸びて耳甲介舟８に嵌る第二押え部材３を左耳に挟持したこと示す側面図である。図１（ｄ）は第１発明の別の耳挟持具として、連結点７から伸びて耳輪５の内側の窪みに嵌る第二押え部材３を示す一実施形態の側面図であり、図１（ｅ）この別の第二押え部材３を取り付けた耳挟持具を左耳に挟持したこと示す側面図である。図１（ｆ）は連結点７から二手に分かれ、耳甲介舟８と耳輪５の内側の窪みに嵌る第二押え部材３を示す側面図である。これらの図において、第１発明の耳挟持具は、側頭部１５と耳上部との間の耳介側頭溝４に嵌る第一押え部材２と、該第一押え部材２の先端に連結された連結点７から伸びて耳甲介舟８に嵌る、及び／又は、耳輪５の内側の窪みに嵌る第二押え部材３とでもって耳輪上部を挟持することを特徴としている。
【００４３】
第１発明の耳挟持具の第一押え部材２は、耳挟持具を装着する人の側頭部１５と耳の裏側との耳介側頭溝４に嵌って密着する形状である。第二押え部材３はこの第一押え部材２の先端の連結点７から後方に伸びて、耳甲介舟８を下方の内面を押し圧している。この耳甲介舟８は耳の中心でもあり、周縁が軟骨で包囲されているので、第二押え部材３は安定して固定できる。耳輪５の内側の窪みに嵌る第１発明の別の第二押え部材３は、第二押え部材３の後方部が耳輪５の窪みの中に隠れるので、外見から見える部分が最も小さい耳挟持具である。そして、耳挟持具を装着すると、第一押え部材２と第二押え部材３とが連結している連結点７を支点９として、第一押え部材２と第二押え部材３とが耳輪５上部を上下から挟持して、耳挟持具の移動を阻止するため、耳挟持具は耳の所定の位置に保持される。
【００４４】
第１発明の別の第二押え部材３として示す図１（ｆ）は、連結点７から二手に分かれ耳甲介舟８と耳輪５の内側の窪みに嵌っているので、第一押え部材２との三方向から耳輪５上部を挟持できる。最も確実で安定した耳挟持具である。また、第二押え部材３は耳輪５より外側に突出することなく、耳の内側に収まり、後方に伸びているので、髪の毛に絡まずに装着は容易である。デザイン的にもシンプルである。
【００４５】
図１の実施形態では、耳挟持具は第二押え部材３で耳を保持するが、耳の内側は、凹凸した形状の部分が多数存在している。また、人によって凹凸の形状が異なるので、その変形例として、その人の凹凸の形状の中で、第二押え部材３が嵌り、そこから移動せずに内側を押圧する形状にすることは勿論可能である。窪みのある耳の内側であれば押圧する場所は限定されない。
【００４６】
本発明の第一押え部材２、第二押え部材３の材質は、シリコンゴム、ＡＢＳ、ＣＰ、ポリエステル、アセテート、ＰＶＣ、ポリアミド、ニュクレル、形状記憶樹脂、ベータプラスチック、チタンなどである。第二押え部材３が耳甲介舟８に接する部分の表層材としては、人肌のように柔軟な部材であるエラストマーゲル状ウレタンを用いると良い。また、肌の温度で変形する樹脂も適している。
【００４７】
以下の図では、第１発明の構成部分と同様な部分については、その説明を省略又は簡略化し、第１発明と異なる部分の実施形態について説明する。
【実施例２】
【００４８】
第２発明の耳挟持具は、レンズ２８や機器２９を耳輪５上部で保持する耳挟持具であって、側頭部１５と耳上部との間の耳介側頭溝４に嵌って前記レンズ２８や前記機器２９を支持する支持フレーム１と、耳輪５前方の前記支持フレーム１に連結され、その連結点７から伸びて耳甲介舟８に嵌る、及び／又は、耳輪５の内側の窪みに嵌る第二押え部材３とを有し、前記支持フレーム１の前記連結点７を支点とする回転モーメントが、前記支持フレーム１と前記第二押え部材３とによる耳輪５上部の挟持によって阻止されることを特徴としている。
【００４９】
図２（ａ）は第２発明の耳挟持具本体を示す一実施形態の側面図であり、図２（ｂ）は第２発明の耳挟持具を左耳に挟持した斜視図である。第２発明の支持フレーム１と第１発明の第一押え部材２との相違点は、第２発明の支持フレーム１が連結点７、支点９より前方に伸びている点であり、作用効果は同一である。支持フレーム１が前方に延設されていることにより、支持フレーム１に多種類のレンズ２８や機器２９の取り付けが容易になる。
【００５０】
図２（ｃ）は第２発明の別の耳挟持具本体の支持フレーム１設けた第二押え部材３を示す一実施形態の斜視図であり、図２（ｄ）は第二押え部材３が連結点７から伸びて耳輪５の内側の窪みに嵌る第二押え部材３を取り付けた耳挟持具を左耳に挟持したことを示す一実施形態の斜視図である。第二押え部材３は、耳輪５より外側に突出することなく、第二押え部材３の後方部が耳輪５の窪みの中に隠れるので、外見から見える部分が最も小さい耳挟持具である。
【００５１】
図２（ｅ）は第２発明の別の第二押え部材３として、耳甲介舟８と耳輪５の内側の窪みに嵌るように連結点７から二手に分かれていること示す一実施形態の斜視図である。支持フレーム１との三方向から耳輪５上部を挟持できる。最も確実で安定した耳挟持具である。
【実施例３】
【００５２】
第３発明の耳挟持具は、前記第二押え部材３が二手に分かれ、分かれた一方の押え部材が前記耳甲介舟８に嵌り、他方の押え部材が前記耳輪５の内側の窪みに嵌り、これらの押え部材の間隔が調整可能に構成されていることを特徴としている。
【００５３】
図３（ａ）は第３発明の第二押え部材３が二手に分かれ、分かれた一方の押え部材が耳輪５の内側の窪みに嵌り、他方の二押え部材を耳甲介舟８に嵌るように矢印が示す方向に曲げたことを示す一実施形態の側面図である。図３（ｂ）は分かれた一方の押え部材が耳甲介舟８に嵌り、他方の押え部材を耳輪５の内側の窪みに嵌るように矢印が示す方向に曲げたことを示す一実施形態の側面図である。
【００５４】
図３（ｃ）は第３発明の第二押え部材３が二手に分かれ、分かれた一方の押え部材が耳輪５の内側の窪みに嵌り、他方の押え部材に関節６を設け、矢印が示すように耳甲介舟８に嵌めたことを示す一実施形態の側面図である。図３（ｄ）は分かれた一方の押え部材が耳甲介舟８に嵌り、他方の押え部材に関節６を設け、耳輪５の内側の窪みに嵌るように矢印が示す方向に曲げたことを示す一実施形態の側面図である。一方の第二押え部材３を適宜の位置に固定し、他方の第二押え部材３を調整して、様々な人の耳に密着させて挟持感の良い耳挟持具にすることができる。
【実施例４】
【００５５】
第４発明の耳挟持具は、前記第一押え部材２又は前記支持フレーム１が、所定以上の力で変形する部材及び／又は、弾性体で構成されていることを特徴としている。
【００５６】
図４（ａ）は、第４発明の変形する部材で形成された第一押え部材２の一実施形態の上面図を示す。矢印が示すように第一押え部材２を耳介側頭溝４の形状に合わせ、側頭部１５に密着させるために、第一押え部材２は一定以上の力を加えると変形するが、放しても元に戻らない。図４（ｂ）は第４発明の第一押え部材２の中に入れた針金３０を、装着する人の耳介側頭溝４の形状に合わせている一実施形態の上面図を示す。針金３０の弾性により上方から適度に締まる。図４（ｃ）は支持フレーム１の中に入れた針金３０を水平方向に変形させたことを示す一実施形態の上面図である。様々な人の耳の形状に合致させることができる。図４（ｄ）は変形する部材で形成された持フレーム１を上方に曲げた場合、支持フレーム１を耳に挟持すると、支持フレーム１の先端の位置が上方に変更され、高さ調整が可能である。左右に曲げた場合は左右方向の調整が可能である。
【００５７】
図５（ａ）、図５（ｂ）は第４発明の第二押え部材３を一定の力を加えることによって変形する部材とし、上方に曲げて挟持することを示す一実施形態の側面図である。このときの挟持する押し圧の調整が可能である。第４発明の耳挟持具に係る第二押え部材３が、弾性的に戻る力を利用して耳を挟持する方法として、図５（ｃ）は第４発明の弾性的に変形する第二押え部材３を指で外側に引っ張り出している正面図である。図４（ｄ）は第二押え部材３を指で下側に押し下げている正面図である。図４（ｅ）は第二押え部材３が弾性による力で内側に戻ることを示す正面図である。図４（ｆ）は第二押え部材３が弾性による力で上方に戻どり、耳甲介舟８を下方から押し圧することを示す正面図である。第二押え部材３を指先で摘まみ、一連の動作をすることにより、適宜の力で耳輪５の上部を上下から挟持させるので、簡単に確実に適宜の位置に固定することができる。
【実施例５】
【００５８】
第５発明の耳挟持具は、前記第二押え部材が、前記連結点を中心として、前記耳甲介舟、及び／又は、耳輪の内側の窪みに嵌る方向に回動可能に設けられていることを特徴としている。
【００５９】
図６（ａ）は第５発明の連結点７に斜めに傾斜した第二回転軸１２を設けた状態を示す一実施形態の斜視図である。一定以上の力を加えると、矢印の示す方向である上下方向と水平方向に回動するが、放しても元に戻らないようになっている。図６（ｂ）は第二押え部材３を外側斜め下方に下げた状態を示す一実施形態の側面図であり、図６（ｃ）は第二押え部材３を耳甲介舟８の窪みの位置まで、斜め上方内側へ押し上げた状態を示す一実施形態の側面図である。第二押え部材３を指で持って一定以上の力で斜め上方に動かすと、矢印の示す方向に斜め上方に回動できる。手を放しても元に戻ることはない。
【００６０】
図７（ａ）は、第５発明に係る第一回転軸１１及び第二回転軸１２の一実施形態を示し、支持フレーム１に回動可能に取り付けたことを示す斜視図である。第二押え部材３に一定以上の力を加えると、矢印の示す方向である上下方向と水平方向に回動するが、放しても元に戻らないようになっている。図７（ｂ）は第二回転軸１２に取り付けた第二押え部材３を外側に広げて、支持フレーム１を耳に掛けた状態を示す一実施形態の斜視図である。図７（ｃ）は第二押え部材３を耳甲介舟８の窪んだ位置まで内側へ押し入れた状態を示す一実施形態の斜視図である。
【００６１】
図７（ｄ）は第二押え部材３を上方に押し上げて、耳甲介舟８の内側に押し圧した状態を示す一実施形態の斜視図である。これにより、第一回転軸１１と直交している第二回転軸１２が三次元的に回動して、第二押え部材３を耳甲介舟８の中の適宜の位置に入れ易くしている。使用した後は、第二押え部材３を支持フレーム１に沿わせればコンパクトになる。
【実施例６】
【００６２】
第６発明の耳挟持具は、前記連結点には、前記第二押え部材を付勢するバネが設けられていることを特徴としている。
【００６３】
図８（ａ）は第６発明の第一回転軸１１及び第二回転軸１２にバネ１７を巻き付けたことを示す一実施形態の斜視図である。第一回転軸１１の外側に巻き付けたバネ１７の一方端を支持フレーム１に固定し、他方端を第二回転軸１２の軸受に固定している。第二回転軸１２の外側に巻き付けたバネ１７の一方端を第二回転軸１２の軸受に固定し、他方端を第二押え部材３に固定している。これにより、矢印が示すように、第二押え部材３の後端部は耳甲介舟８を下方から上方に、外側から内側へ付勢する力が働き、変位した位置から元の位置まで戻り、耳の上部を挟持することができる。付勢する力は三次元的に第二押え部材３を動かし、後端部に設けた柔軟性のある当接部材を適宜の位置に保持することができる。様々な人の耳甲介舟８の形状に対応できる。
【００６４】
図８（ｂ）は第二押え部材３の後端部が耳輪５の内側の窪みに嵌り、耳輪５の窪みを下方から上方に、外側から内側へ付勢する力が働き、変位した位置から元の位置まで戻り、耳の上部を挟持できることを示す一実施形態の斜視図である。第二押え部材３が耳輪５の内側の窪みに接する長さは長く、嵌り易い形状であり、挟持感は非常に良く安定している。図８（ｃ）はバネ１７を取り付けた耳輪５の内側の窪み嵌る第二押え部材３と、バネ１７を取り付けた耳甲介舟８に嵌る第二押え部材３の二本を設けることにより、それぞれに別の付勢する力が働き、広い部分を挟持できるので、非常に安定している。
【実施例７】
【００６５】
第７発明の耳挟持具は、前記支持フレーム１に連結された前記第二押え部材３が、前記支持フレーム１に対して前後方向に移動可能に、及び／又は、着脱可能に取り付けられていることを特徴としている。
【００６６】
図９（ａ）は第７発明の耳挟持具の第二押え部材３を支持フレーム挟持具２１に取り付け、支持フレーム挟持具２１に設けた溝が支持フレーム１に一定以上の力で嵌め込んだことを示す一実施形態の斜視図である。前後方向に移動可能にすることにより、多く人の適宜な耳の位置に装着可能となる。
【００６７】
図９（ｂ）は第７発明の耳挟持具の第二押え部材３を支持フレーム挟持具２１に取り付け、この支持フレーム挟持具２１が支持フレーム１を上下方向から挟持したことを示す一実施形態の斜視図である。支持フレーム挟持具２１に支持フレーム１を挟み込む上下面に凹部を設け、この凹部に支持フレーム１を上下から嵌め込んで、ネジ２５で締め付けて固定している。太さの異なる形状の支持フレーム１、テンプル２３に対応できる。前後方向に自由に移動させることができるので、レンズと目との間を示す角膜頂点間距離１２ｍｍの調整も可能となる。これにより、市販された眼鏡のテンプル２３に取り付けることができるので、鼻に負担のかからない装着感の良い耳挟持具として便利に使用できる。
【００６８】
図９（ｃ）は、第７発明の耳挟持具の第二押え部材３を支持フレーム挟持具２１に取り付け、この支持フレーム挟持具２１が支持フレーム１を左右方向から挟持したことを示す一実施形態の斜視図である。支持フレーム挟持具２１に支持フレーム１を挟み込む側面に凹部を設け、この凹部に支持フレーム１を左右から嵌め込んで、ネジ２５で締め付けて固定している。高さの異なった形状の支持フレーム１に対応できる。前後方向に自由に移動させることができるので、レンズと目との間を示す角膜頂点間距離１２ｍｍの調整が可能となる。
【００６９】
図９（ｄ）は、第７発明の耳挟持具の第二押え部材３を支持フレーム挟持具２１に取り付け、支持フレーム１に設けた複数の穴に、支持フレーム挟持具２１をネジ２５で締め付けたことを示す一実施形態の斜視図である。支持フレーム挟持具２１には、耳輪５の内側の窪み嵌る第二押え部材３が取り付けられていて、締め付ける穴の位置を代えることにより、前後方向に自由に移動させることができるので、多く人が装着可能となる。横長のシンプルなデザインである。
【実施例８】
【００７０】
第８発明の耳挟持具は、前記第一押え部材２又は前記支持フレーム１が耳輪５の裏側と側頭部１５との隙間を埋めるブロック１０を備えていることを特徴としている。
【００７１】
図１０（ａ）は、第８発明のブロック１０を取り付けた耳挟持具を耳に掛けた一実施形態の斜視図である。耳輪５の裏側と側頭部１５との隙間に嵌って密着する形状のブロック１０を、第一押え部材２と一体化させて耳輪５の裏側に設けているので、外側からはブロック１０は目立たない、耳輪５の裏側と側頭部１５とに密着しているので、装着感は良い。そして、ブロック１０を軽量にするために中空にした形状でも良い。
【００７２】
図１０（ｂ）は、第８発明のブロック１０がＶ字形状をしている耳挟持具を耳に掛けた一実施形態の斜視図である。耳挟持具を軽く安定的に保持させるために、耳輪５の裏側と側頭部１５に密着しているブロック１０のＶ字形状を拡大させて、横ぶれを防止して固定することができる。
【実施例９】
【００７３】
第９発明の耳挟持具は、こめかみ２２及び／又は側頭部１５に当たる前記支持フレーム１の部位には、緩衝部材１６が設けられていることを特徴としている。
【００７４】
図１１（ａ）は、第９発明に係る緩衝部材１６を支持フレーム１に取り付けた一実施形態を示す斜視図であり、図１１（ｂ）は、緩衝部材１６を取り付け眼鏡を掛けた人の一実施形態を示す側面図である。支持フレーム１を装着する様々な人の耳や側頭部１５に合わせるために、最適な位置に緩衝部材１６を取り付けている。柔軟性のある緩衝部材１６で隙間を埋めることにより、大きな機器や重い機器であっても耳挟持具の縦横のぶれを阻止し、装着感を良くすることができる。
【実施例１０】
【００７５】
第１０発明の耳挟持具は、前記支持フレーム１又は前記第一押え部材２の先端に取り付けられる連結部材１９が、前記支持フレーム１又は前記第一押え部材２に対し、前記レンズ２８や前記機器２９を上下方向に跳ね上げる第三回転軸１３を備えるとともに、前記レンズ２８や前記機器２９が前記連結部材１９に対して前後方向に移動可能に構成されていることを特徴としている。
【００７６】
図１２（ａ）は第２、第６発明に係る耳挟持具に、第１０発明に支持フレーム１の先端に取り付けた連結部材１９に、眼鏡３６のテンプル２３を差し込み、それを人がかけたことを示す一実施形態の側面図であり、 図１２（ｂ）は連結部材１９に差し込んで保持したテンプル２３を、第三回転軸１３によって僅かに上下方向に回動したことを示す一実施形態の側面図である。レンズ２８を適宜の目の高さに合わせることができるので、レンズ２８の上下に異なる度のレンズ２８を嵌め込むことにより遠近両用の眼鏡になる。
【００７７】
図１２（ｃ）はレンズ２８を退避させるためにレンズ２８を前方に引出したことを示す一実施形態の側面図であり、図１２（ｄ）はそのレンズ２８を付けたテンプル２３を上方に上げて退避させたことを示す側面図であり、図１２（ｅ）は連結部材１９に差し込んだテンプル２３が前後方向に移動可能であることを示す一実施形態の説明図である。テンプル２３を前方に引出し、顔面に接しないようにレンズ２８を上方に上げると、第三回転軸１３が締まって拘束されるようになっている。レンズ部を退避させる方法として便利に使用することができる。また、前後方向に移動できることは、眼鏡にとって、最も重要なレンズ２８と目との間の角膜頂点間距離１２ｍｍの調整が可能になり、適宜の位置でレンズ２８を固定することができる。
【実施例１１】
【００７８】
第１１発明の耳挟持具は、一対の前記支持フレーム１の後端部には、後頭部を回って前記支持フレーム１の前記回転モーメントを相殺する後頭押え部材２０が、上下方向に回動可能及び／又は着脱可能に設けられていることを特徴としている。
【００７９】
図１３（ａ）は、第１１発明の後頭押え部材２０を一対の支持フレーム１の各後端に取り付け、耳挟持具を取り付けた眼鏡３６を掛けた人の一実施形態の側面図である。後頭押え部材２０が後頭部全体に沿って当接しているので、支持フレーム１に重いレンズ２８を設けても、回転モーメントが受け止められ、長時間装着しても装着感が良く安定して固定することができる。 図１３（ｂ）は第１１発明の後頭押え部材２０を一対の支持フレーム１の各後端に取り付けた耳挟持具を示す一実施形態の斜視図である。接続部材２７により後頭押え部材２０の長さ調整と着脱可能である。 図１３（ｃ）は後頭押え部材２０が支持フレーム１にネジ２５で取り付けられ、矢印が示すように上下方向に移動させて、後頭部の形状に合わせることができる。
【実施例１２】
【００８０】
第１２発明の耳挟持具は、前記後頭押え部材２０が変形する部材及び／又は弾性体で構成されていることを特徴としている。
【００８１】
図１４（ａ）は第１２発明の変形する部材で構成された後頭押え部材２０を示す上面図であり、図１４（ｂ）は第１２発明の後頭押え部材２０を側頭部１５から後頭の形状に変形させて、それをかけている人を示す一実施形態の側面図である。人の後頭部の形状は様々であり、矢印が示すようにその人の後頭部の形状に合わせることにより、後頭押え部材２０で確実に挟持することができる。回転モーメントが受け止められ、長時間装着しても装着感が良く安定して固定できる。図１４（ｃ）は第１２発明の弾性体で構成された後頭押え部材２０を示す上面図である。後頭押え部材２０が弾性体の内側に付勢することにより、耳挟持具は側頭部１５を挟持して固定される。図１４（ｄ）はベルト状の後頭押え部材２０を備えたこと示す一実施形態の側面図である。ベルトの面で保持するので、違和感はなく安定している。
【実施例１３】
【００８２】
第１３発明の耳挟持具は、前記支持フレーム１の前端部又は前記連結部材１９の前端部には、前記レンズ２８又は前記機器２９が水平方向又は上下方向に回動可能及び／又は、着脱可能に取り付けられていることを特徴としている。
【００８３】
図１５（ａ）は第１３発明のレンズ２８を支持フレーム１の前端部に水平方向に回動可能に取り付けたブリッジなし眼鏡３６の一実施形態の正面図であり、図１５（ｂ）はレンズ２８が矢印の示す水平方向に回転して、テンプル２３の外側側面に退避したことを示す一実施形態の側面図である。後頭押え部材２０を設けたブリッジなし眼鏡３６は、支持フレーム１の後端部が後頭押え部材２０に連結されているので、ブリッジなし眼鏡３６をかける時は、後頭押え部材２０を両手で持って外側に開けて頭に嵌める。レンズ２８は必要に応じて移動させれば良い。
【００８４】
図１５（ｃ）は第１３発明の前方上方に回動可能に取り付けたレンズ２８を示す一実施形態の側面図である。支持フレーム１の前端部に設けた眼鏡３６のレンズ２８を、押し上げて退避させることが可能にある。レンズ２８は必要に応じて前面に戻せば良い。図１５（ｄ）は第１３発明の眼鏡３６の左右のブリッジ５６を、中心で連結可能に取り付けたことを示す一実施形態の正面図である。花粉防止レンズのように顔面とレンズ２８との隙間をなくして密着させるためには、ブリッジ５６を接続して眼鏡３６を確実に固定させることが重要になる。図１５（ｅ）は第１３発明の上下方向に回動可能にした支持フレーム１の双眼鏡５２のレンズ２８を示す一実施形態の正面図である。双眼鏡５２のレンズ２８を覗かない時に、矢印が示すように下方に回動させてレンズ２８を退避させることができる。接続部材２７により、着脱は可能である。
【実施例１４】
【００８５】
第１４発明の耳挟持具は、前記連結点には、前記第二押え部材を前記耳甲介舟、及び／又は、耳輪の内側の窪みに嵌る方向に回動させる駆動部が設けられていることを特徴としている。
【００８６】
図１６（ａ）、図１６（ｂ）は第１４発明の傾斜させた第二駆動部４２を設けた一実施形態の斜視図であり、図１６（ｃ）は第二駆動部４２を設けたことを示す正面図である。斜め下方に傾斜させて連結部３に取り付けた第二駆動部４２を回動させることにより、第二押え部３は斜め上方内側に傾斜して直線で動き、耳介甲舟４に密着させることができるので、様々な人の耳甲介舟４の形状に合致させることができる。そして、自動的に適宜の位置にコントロールして、耳上部を挟持することができるので、長時間装着しても装着感が良く着脱も容易である。
【００８７】
図１７（ａ）、図１７（ｂ）は第２、第６発明に係る第一回転軸１１及び第二回転軸１２に第１４発明の第一駆動部４１、第二駆動部４２を設けたことを示す一実施形態の斜視図である。矢印が示すように二個のモーターの連動により、三次元的な動きが可能となる。電気信号でもって下側押え部３を内側に動きながら上方に動いて、自動的に耳甲介舟８に密着させて耳上部を挟持することができる。
【実施例１５】
【００８８】
第１５発明の耳挟持具は、前記第三回転軸１３には、前記レンズ２８や前記機器２９を該第三回転軸回りに回動させる第三駆動部４３及び／又は、前記レンズ２８や前記機器２９を前後方向に移動させる第四駆動部４４が設けられていることを特徴としている。
【００８９】
図１７（ｃ）は第１０発明の連結部材１９に設けた第１５発明の第三駆動部４３を示す一実施形態の側面図である。第三駆動部４３のモーターの回動を小さくすることで、上下に度数の異なったレンズ２８を電気信号でもって変更することができる。図１７（ｄ）はレンズ部２８を前後方向に可動させるために第１６発明の第四駆動部４４を設けたこと示す一実施形態の側面図であり、図１７（ｅ）は連結部材１９の中にテンプル２３を挿入し、第四駆動部４４のモーターの回動でテンプル２３を前後方向に可動すること示す一実施形態の説明図である。図１７（ｆ）は第１０発明の連結部材１９の先端に取り付けたレンズ２８を、第四駆動部４４で前方に押し出した後、連結部材１９に設けた第三駆動部４３のモーターの回動でレンズ部２８を上方に上げ、レンズ２８を退避させたことを示す一実施形態の説明図である。第三駆動部４３、第四駆動部４４によってレンズ２８の一連の動作を自動化できる。レンズ２８や機器２９の装着位置を自動的に調整することができる。
【実施例１６】
【００９０】
第１６発明の耳挟持具は、前記支持フレーム１の前端部又は前記連結部材１９の前端部には、前記レンズ２８又は前記機器２９を水平方向に回動させる第五駆動部４５及び／又は、上下方向に回動させる第六駆動部４６が設けられていることを特徴としている。
【００９１】
第１６発明の耳挟持具は、第１４発明の実施の形態と同一であり、第１５図に第五駆動部４５、第六駆動部４６を記載して説明をする。図１５（ａ）は第２発明の支持フレーム１の前端部に設けたレンズ２８を、水平方向に回動可能にするために、第五駆動部４５を取り付けたブリッジなし眼鏡３６の一実施形態の正面図であり、図１５（ｂ）はレンズ２８が矢印の示す水平方向に回転して、テンプル２３の外側側面に退避させたことを示す側面図である。ブリッジなし眼鏡３６は支持フレーム１の後端部に後頭押え部材２０が連結されていて、ブリッジなし眼鏡３６をかける時は、レンズ２８をテンプル２３の外側に退避させておく必要がある。そのため最初にボタン操作で自動的にレンズ２８を回動させて所定の位置に停止させることができる。
【００９２】
図１５（ｅ）は第２発明の支持フレーム１の前端部に、第１６発明の第六駆動部４６を設けた双眼鏡５２のレンズ２８を、上下方向に回動可能にした一実施形態の正面図である。左右の双眼鏡５２のレンズ２８を中心のブリッジで連結しない双眼鏡であり、必要に応じてレンズ２８を電気信号でもってモーターを可動させて退避させることができる。双眼鏡５２には一対の支持フレーム１の各後端に、第１２発明の後頭押え部材２０が取り付けられているので、重い双眼鏡であっても装着感が良く、長時間便利に使用できる。
【００９３】
以上の実施形態において、駆動部は、小型モーターのほかに、固定側と可動側にそれぞれ磁石を配置して、設定した位置で可動側が安定し、そこから変位すると、可動側の磁石が固定側の磁石まで移動するような構成であっても良い。
【実施例１７】
【００９４】
第１７発明の耳挟持具は、前記耳挟持具に、眼鏡３６、ＬＥＤライト付眼鏡３７、イヤホン３８、マイクロホン３９、携帯電話器４０、携帯電話と通信する通信機器４７、マスク係止具４８、耳つぼ指圧具４９、ウェアラブル機器５０、カメラ５１、双眼鏡５２、耳式血圧装置５３、血流量センサー５４の何れかが取り付けられることを特徴としている。
【００９５】
第１８（ａ）図は第２、第４、第５発明に係る耳挟持具を設けた第１７発明の眼鏡３６を示す一実施形態の斜視図である。一定の力を加えると変形する部材の支持フレーム１と弾性的に変形する第二押え部材３を使用することにより、多く人の耳に対応して挟持できるので、サイズの異なる複数の製品を大量に製作することができる。様々なメガネに対応できるが、特に３Ｄ用メガネに適している。第１８（ｂ）図は第２、第６発明に係る耳挟持具を設けた第１７発明の眼鏡３６を示す一実施形態の側面図である。直交する第一回転軸１１と第二回転軸１２により、第二押え部材３を三次元的に動かして、耳甲介舟８に嵌めることができる。老眼鏡、サングラス、ウェアラブル機器を取り付けたメガネなどに使用できる。図示しないが、耳挟持具のテンプル２３を折り畳む時には、第二押え部材３をテンプル２３に沿わせることによって、コンパクトに収納できるので便利である。
【００９６】
第１８（ｃ）図は第２、第６発明に係る耳挟持具の支持フレーム１の後端部にバッテリー１８を取り付け、眼鏡枠の前面にＬＥＤ３７を設けた第１７発明の眼鏡３６を示す一実施形態の正面図である。眼鏡枠の前面にＬＥＤライト３７を備え、目に光が入らないようにすることにより、ＬＥＤライト３７の明るさを調整しながら対象物を見ることが容易になる。第１８（ｄ）図は第２、第３、第５、第６、第７、第１０発明に係る耳挟持具を取り付けた第１７発明の一眼用眼鏡３６を示す一実施形態の斜視図である。支持フレーム１と耳介側頭溝４に嵌るブロック１０を側頭に広い範囲に当接するように拡大させ、バネ１７を取り付けて直交する第一回転軸１１と第二回転軸１２、側頭とテンプル２３との隙間を埋める緩衝部材１６により、確実に一眼用眼鏡３６をかけることができる。第１８（ｅ）図は左側のレンズ２８を取り付けた支持フレーム１に第１２発明の後頭押え部材２０を取り付けた一眼用眼鏡３６を示す一実施形態の正面図である。一眼用眼鏡３６を確実に安定させて保持させる最も良い形態であり、髪の毛の長い人がかけた場合、後頭押え部材２０は髪の毛の中に隠れて見えない。
【００９７】
本発明で言う眼鏡は、眼鏡全般であって、ＴＶ・映画用３Ｄ用メガネ、サングラス、遮光メガネ、防塵メガネ、風防メガネ、カメラを取り付けたメガネ、拡大鏡を取り付けたメガネ、ライトを取り付けたメガネ、剣道用メガネ、ウェアラブルを取り付けたメガネ、スクリーンに表示される画像を観察するための画像観察用メガネ、拡張現実（ＡＲ）機能を備えたメガネ、手術用メガネ、花粉防止メガネ等である。
【００９８】
第１９（ａ）図は第１発明の耳挟持具の連結点７に取り付けた第１７発明のイヤホン３８を示す一実施形態の側面図である。イヤホン３８はアタッチメント５５に取り付けられ、他の機器と交換可能である。連結点７は耳挟持具の支点９でもあり、イヤホン３８を確実に取り付けて安定して保持できる。図示しないが、無線イヤホン、骨伝導イヤホン、補聴器なども取り付けることができる。第１９（ｂ)図は第１、第３発明に係る耳挟持具の連結点７に第１７発明のマイクロホン３９とイヤホン３８を取り付け、二手に分かれた第二下側押え部材３にカバーをかけたことを示す一実施形態の側面図である。第二下側押え部材３により確実にマイクロホン３９とイヤホン３８を取り付けて安定して保持できる。
【００９９】
第１９（ｃ)図は第２、第５、第８発明の支持フレーム挟持具２１に第１７発明のマイクロホン３９とイヤホン３８を取り付けた一実施形態の斜視図である。通常使用している眼鏡３６のテンプル２３に着脱自在に取り付け、眼鏡３６の挟持位置の調整ができる。第１９（ｄ)図は第２、第５発明に係る耳挟持具の支持フレーム１に設けた第二押え部材３に第１７発明のイヤホン３８を取り付けた一実施形態の斜視図である。矢印の示すように第二押え部材３とイヤホン３８を三次元的に移動させて、耳甲介舟８と外耳道に嵌めるのでイヤホン３８は外れにくい。
【０１００】
第１９（ｅ)図は第１、第５発明に係る耳挟持具の連結部７にイヤホン３８を取り付け、このイヤホン３８に、第１７発明の小型の血流量センサー５４を搭載したこと示す一実施形態の側面図である。センサーはレーザー光を血管に向けて照射し、反射光の強さなどから血流量を検知する。血流量はストレスや血圧、脱水、熱中症などによって変動するため、体の状態を測定、記録ができる。第１９（ｆ)図は第１、第３、第６発明に係る耳挟持具に、第１７発明の耳装着型の携帯電話器４０を二手に分かれた第二押え部材３に取り付けた一実施形態の側面図である。外耳道に挿入しているイヤホン３８と耳輪５の内側の窪みと耳甲介舟８に嵌っている第二押え部材３により、安定して保持することができる。携帯電話器４０の着脱は第一回転軸１１、第二回転軸１２を三次元的に回動させれば容易にできる。
【０１０１】
第１９（ｇ)図は第１、第５発明に係る耳挟持具に第１７発明のイヤホン３８と携帯電話と通信する通信機器４７を取り付けた一実施形態の側面図である。携帯電話と通信する通信機器４７を第二押え部材３に取り付け確実に保持し、着脱は容易にしている。第１９（ｈ)図は第１発明に係る耳挟持具の連結点７にイヤホン３８を取り付け、第一押え部材２に第１７発明のマスク係止具４８を取り付けたことを示す一実施形態の側面図である。マスク係止具４８は耳介側頭溝４から耳朶の裏側まで嵌るので、マスクの紐は耳に食い込まない。マスクをかけながらイヤホン３８を聞くことができる。アタッチメント５５によりイヤホン３８の着脱は容易である。
【０１０２】
第２０（ａ)図は第１発明の耳挟持具の第一押え部材２の後端に、第１７発明のマスク係止具４８を取り付けたことを示す一実施形態の斜視図であり、第２０（ｂ)図は第１７発明のマスク係止具４８に設けた溝にマスクの紐を引っ掛け、そのマスクをしている人を示す一実施形態の側面図である。マスク係止具４８は第一押え部材２から耳朶まで延設されており、マスクの紐が耳介側頭溝２に接することはなく、マスクの紐を強く引っ張って長時間かけていても装着感は非常に良い。マスク係止具４８の材質は柔軟性のあるシリコンゴムが良い。
【０１０３】
第２０（ｃ)図は耳輪５の内側の窪みに嵌る第二押え部材３を設けた第１発明の耳挟持具に、第１７発明のマスク係止具４８を取り付けたことを示す一実施形態の斜視図であり、第２０（ｄ)図は第１７発明のマスク係止具４８に設けた溝にマスクの紐を引っ掛け、そのマスクをしている人を示す一実施形態の側面図である。マスク係止具４８はシンプルで目立たずマスクを長時間かけても装着感は良い。
【０１０４】
第２０（ｅ)図は第２、第５発明に係る耳装着具に、第１７発明のマスク係止具４８を嵌め込んだ一実施形態の側面図であり、第１８（ｆ)図は支持フレーム１に嵌め込むために、貫通孔３２を設けたマスク係止具４８の正面図である。支持フレーム１に嵌め込んだマスク係止具４８の着脱を容易にするために貫通孔３２を設け、マスクの紐を嵌める溝３１を設けている。貫通孔３２は所定以上の力で支持フレーム１を挟むのでマスク係止具４８は外れない。マスクをした場合、マスクの紐を強く引っ張って長時間かけても装着感は良い。
【０１０５】
第２１（ａ)図は第１発明の耳挟持具の連結点７に第１７発明の耳つぼ指圧器４９を取り付けたことを示す一実施形態の側面図である。耳つぼ指圧器４９は耳珠３３に当接して、耳珠３３の中にある起点と言うツボを押して刺激するとダイエットの効果がある。第２１（ｂ)図は第１発明の耳挟持具に第１７発明のマスク係止具４８と耳つぼ指圧器４９を取り付けたことを示す一実施形態の側面図である。マスクをかけながらダイエットが可能となる。
【０１０６】
第２１（ｃ)図は第２、第５、第６発明に係る耳挟持具に第１７発明の耳つぼ指圧器４９を取り付けたことを示す一実施形態の斜視図である。矢印が示すようにバネ１７の付勢する力で、耳甲介舟８と耳珠３３を押し圧するので耳ツボは刺激され、眼鏡をかけている間にダイエットできる。
【０１０７】
第２２（ａ)図は第２、第５、第１１、第１２発明に係る耳挟持具の支持フレーム１に、メガネ型の第１７発明のウェアラブル機器５０を設けたことを示す一実施形態の側面図である。後頭押え部材２０を設けることにより、回転モーメントを相殺するので、拡張現実（ＡＲ）機能を備えた重量の重いウェアラブル機器５０でも安定して保持できる。第２２（ｂ)図は第２、第５、第１１、第１２発明に係る耳挟持具の支持フレーム１にズーム機能を備えた第１７発明のカメラ５１を取り付け、目の前にディスプレイ３４を設けたことを示す一実施形態の側面図である。側頭に設けたカメラ５１で撮った映像を、ディスプレイ３４で見るようにしたウェアラブル機器５０に、第二下側押え部材３から延設したイヤホン３８を耳に挿入している。後頭押え部材２０を設け、二個の第二下側押え部材３を取り付けることにより、回転モーメントを相殺するので、長時間かけていても装着感は非常に良い。ディスプレイ３４を回動可能に取り付けて、不必要な時、退避させることもできる。
【０１０８】
第２２（ｃ)図は第２、第５、第１０、第１１、第１２発明に係る耳挟持具の支持フレーム１に第三駆動部４３を設けた連結部材１９を取り付け、この連結部材１９に第１７発明のメガネ型の双眼鏡５２を設けたことを示す一実施形態の側面図である。後頭押え部材２０と前頭部上に前頭押え部材３５を設けることにより、回転モーメントを相殺できるので、重い双眼鏡５２を長時間かけても装着感は非常に良い。手術用の顕微鏡を支持フレーム１に取り付けることも可能である。第１７（ｃ)図、（ｆ)図に記載した第三駆動部４３を設けることにより、双眼鏡５２のレンズ２８を電動で退避できる。
【０１０９】
第２２（ｄ)図は第１、第３、第５発明に係る耳挟持具の連結点7に第１７発明の耳式血圧装置５３を設けたことを示す一実施形態の側面図である。耳式血圧装置５３で２４時間血圧の測定、記録ができる。以上、説明したように本願発明の耳挟持具は、耳に装着可能な全てのレンズ２８、機器２９など製品に備えて使用することができる。
【符号の説明】
【０１１０】
１    支持フレーム
２    第一押え部材
３    第二押え部材
４    耳介側頭溝
５    耳輪  
６    関節  
７    連結点
８    耳甲介舟
９    支点
１０  ブロック
１１  第一回転軸
１２  第二回転軸
１３  第三回転軸  
１５  側頭部
１６  緩衝部材
１７  バネ
１８  バッテリー
１９  連結部材  
２０  後頭押え部材
２１  支持フレーム挟持具
２２  こめかみ
２３  テンプル
２４  モダン
２５  ネジ
２６  補助部材
２７  接続部材
２８  レンズ
２９  機器
３０  針金
３１  溝
３２  貫通孔
３３  耳珠
３４  ディスプレイ
３５  前頭押え部材
３６  眼鏡
３７  ＬＥＤライト
３８  イヤホン
３９  マイクロホン
４０  携帯電話器
４１  第一駆動部
４２  第二駆動部
４３  第三駆動部
４４  第四駆動部
４５  第五駆動部
４６  第六駆動部
４７  携帯電話と通信する通信機器
４８  マスク係止具
４９  耳つぼ指圧具
５０  ウェアラブル機器
５１  カメラ
５２  双眼鏡
５３  耳式血圧装置
５４  血流量センサー
５５  アタッチメント
５６  ブリッジ
【手続補正２】
【補正対象書類名】特許請求の範囲
【補正対象項目名】請求項５
【補正方法】変更
【補正の内容】
【請求項５】
前記第二押え部材が、前記連結点を中心として、前記耳甲介舟、及び／又は、耳輪の内側の窪みに嵌る方向に回動可能に設けられていることを特徴とする請求項１から４の何れかに記載の耳挟持具。
【手続補正３】
【補正対象書類名】特許請求の範囲
【補正対象項目名】請求項６
【補正方法】変更
【補正の内容】
【請求項６】
前記連結点には、前記第二押え部材を付勢するバネが設けられていることを特徴とする請求項５に記載の耳挟持具。
【手続補正４】
【補正対象書類名】特許請求の範囲
【補正対象項目名】請求項１４
【補正方法】変更
【補正の内容】
【請求項１４】
前記連結点には、前記第二押え部材を前記耳甲介舟、及び／又は、耳輪の内側の窪みに嵌る方向に回動させる駆動部が設けられていることを特徴とする請求項５に記載の耳挟持具。
【手続補正５】
【補正対象書類名】図面
【補正対象項目名】全図
【補正方法】変更
【補正の内容】
【図１】
2018112662.tif 000023
【図２】
2018112662.tif 000024
【図３】
2018112662.tif 000025
【図４】
2018112662.tif 000026
【図５】
2018112662.tif 000027
【図６】
2018112662.tif 000028
【図７】
2018112662.tif 000029
【図８】
2018112662.tif 000030
【図９】
2018112662.tif 000031
【図１０】
2018112662.tif 000032
【図１１】
2018112662.tif 000033
【図１２】
2018112662.tif 000034
【図１３】
2018112662.tif 000035
【図１４】
2018112662.tif 000036
【図１５】
2018112662.tif 000037
【図１６】
2018112662.tif 000038
【図１７】
2018112662.tif 000039
【図１８】
2018112662.tif 000040
【図１９】
2018112662.tif 000041
【図２０】
2018112662.tif 000042
【図２１】
2018112662.tif 000043
【図２２】
2018112662.tif 000044
【手続補正書】
【提出日】平成29年3月6日(2017.3.6)
【手続補正１】
【補正対象書類名】明細書
【補正対象項目名】全文
【補正方法】変更
【補正の内容】
【発明の詳細な説明】
【技術分野】
【０００１】
本発明は、眼鏡や機器を耳の上部で挟持して確実に保持し、安定して装着するための耳挟持具に関する。
【背景技術】
【０００２】
従来、眼鏡はモダンを耳の耳介側頭溝に掛けて,鼻パッドを使用して装着しているので、レンズ部に取り付けた鼻パッドは、鼻に負担をかけている。出願人が先に「眼鏡」特許第５３６８６５７号，「眼鏡」特許第５４０６４１１号，「眼鏡」特許第５４５１９３５号を取得している。これらの「眼鏡」は、眼鏡を保持するために耳朶の裏表面に当接させている保持体と、挟持ストッパーが協働して挟持することによって、眼鏡を安定して固定しているが、人の耳は柔軟でありその形状は様々である。眼鏡を保持する耳の耳介側頭溝に沿わせることはできるが、耳朶を挟持して耳に対する負担を軽減させて、眼鏡を装着感が良く安定して固定させるには、さらなる改良を必要とする。
【０００３】
この問題に対しては、例えば、出願人が先に出願して、特許査定となっている下記特許文献１、２は、湾曲部の上方後方の傾斜した部分の支点と、耳挿入部が押し圧する耳甲介の後方内面との、垂直方向の二カ所で眼鏡を保持し、さらに湾曲部に連結された連結部は、耳輪を乗り越えて耳の表側に延設されて、耳挿入部に連結されているので、連結部の長さは短くコンパクトであるが、眼鏡装着時には髪の毛に絡み易く、電話をかける時に、連結部がスピーカーに当接して音声が聞きとれ難くなるおそれがある。
【先行技術文献】
【特許文献】
【０００４】
【特許文献１】特願２０１６−０５６５７４
【特許文献２】特願２０１６−０５６５７５
【発明の概要】
【発明が解決しようとする課題】
【０００５】
眼鏡は、レンズや機器の重量が鼻の両側の柔らかい皮膚面を押圧し、鼻パッドが当接した部分は変色して跡が残る。そうした製品を長時間装着することが問題であることは変わらない。本発明は、こうした問題を解決しようとするもので、鼻や耳の負担を軽減させるために、耳の上部内側の凹部を利用して、耳の形状に合わせて確実に密着する耳挟持具を提供することを課題とする。
【課題を解決するための手段】
【０００６】
第１発明の耳挟持具は、側頭部と耳上部との間の耳介側頭溝に嵌る第一押え部材と、該第一押え部材の先端に連結された連結点から一方に伸びて耳甲介舟に嵌り、他方にも伸びて耳輪の内側の窪みにも嵌る第二押え部材とでもって耳輪上部を挟持することを特徴とする。
【０００７】
第２発明の耳挟持具は、レンズや機器を耳輪上部で保持する耳挟持具であって、側頭部と耳上部との間の耳介側頭溝に嵌って前記レンズや前記機器を支持する支持フレームと、耳輪前方の前記支持フレームに連結された連結点から一方に伸びて耳甲介舟に嵌り、他方にも伸びて耳輪の内側の窪みにも嵌る第二押え部材とを有し、前記支持フレームの前記連結点を支持する回転モーメントが、前記支持フレームと前記第二押え部材とによる耳輪上部の挟持によって阻止されることを特徴とする。
【０００８】
第３発明の耳挟持具は、第１発明又は第２発明において、一方に伸びて前記耳甲介舟に嵌る一方の第二押え部材と、他方にも伸びて前記耳輪の内側の窪みにも嵌る他方の第二押え部材との間隔が調整可能に構成されていることを特徴とする。この場合の第二押え部材は、前記連結点から二手に分岐させても良いし、連結点を過ぎた途中から二手に分岐させても良い。前者の場合は、連結点にヒンジ機構を組み込むことで、分岐先の各押え部材を独立的に動かして各押え部材間の間隔を調整することができる。また、後者の場合は、一方の押え部材を変形可能な部材で構成して間隔を調整する。
【０００９】
第４発明の耳挟持具は、第１発明又は第２発明において、前記第二押え部材が前記連結点を中心として前記耳の上部を前記第一押え部材に押す方向に回動可能に設けられていることを特徴とする。
【００１０】
第５発明の耳挟持具は、第２発明から第４発明の何れかにおいて、前記支持フレームに連結された前記第二押え部材が前記支持フレームに対して前後方向に移動可能に且つ着脱可能に取り付けられていることを特徴とする。
【００１１】
第６発明の耳挟持具は、第１発明から第５発明の何れかにおいて、前記第一押え部材又は前記支持フレームが耳輪の裏側と側頭部との隙間を埋めるブロックを備えていることを特徴とする。
【００１２】
第７発明の耳挟持具は、第２、第５、第６発明において、こめかみと側頭部の一方または双方に当たる前記支持フレームの部位には、緩衝部材が設けられていることを特徴とする。
【００１３】
第８発明の耳挟持具は、第２、第５、第６、第７発明の何れかにおいて、前記支持フレーム又は前記第一押え部材の先端に取り付けられる連結部材が前記支持フレーム又は前記第一押え部材に対し、前記レンズや前記機器を上下方向に跳ね上げる回転軸を備えるとともに、前記レンズや前記機器が前記連結部材に対して前後方向に移動可能に構成されていることを特徴とする。
【００１４】
第９発明の耳挟持具は、第２又は第５発明から第８発明の何れかにおいて、一対の前記支持フレームの後端部には、後頭部を回って前記支持フレームの前記回転モーメントを相殺する後頭押え部材が上下方向に回動可能及び／又は着脱可能に設けられていることを特徴とする
【００１５】
第１０発明の耳挟持具は、第２又は第５発明から第９発明の何れかにおいて、前記支持フレームの前端部又は前記連結部材の前端部には、前記レンズ又は前記機器が水平方向又は上下方向に回動可能及び／又は着脱可能に取り付けられていることを特徴とする。
【００１６】
第１１発明の耳挟持具は、第４発明において、前記連結点には、前記第二押え部材を前記耳甲介舟と前記耳輪の内側の窪みに嵌る方向に回動させる駆動部が設けられていることを特徴とする。
【００１７】
第１２発明の耳挟持具は、第１発明から第１１発明において、前記耳挟持具に、眼鏡、ＬＥＤライト付眼鏡、イヤホン、マイクロホン、携帯電話器、携帯電話と通信する通信機器、マスク係止具、耳つぼ指圧具、ウェアラブル機器、カメラ、双眼鏡、耳式血圧装置、血流量センサーの何れかかが取り付けられていることを特徴とする。
【発明の効果】
【００１８】
第１発明の耳挟持具によれば、側頭部と耳上部との間の耳介側頭溝に嵌る第一押え部材と、該第一押え部材の先端に連結された連結点から一方に伸びて耳甲介舟に嵌り、他方にも伸びて耳輪の内側の窪みにも嵌る第二押え部材とでもって耳輪上部を挟持するので、顔面や耳に装着する各種の物を耳で確実に固定することができる。したがって、メガネの場合は、メガネに鼻パッドが無くても、それを眼前に保持することができるし、イヤホン等の場合は、頭部を激しく動かしても、それを耳に確実に固定することができる。
【００１９】
第２発明によれば、レンズや機器を耳輪上部で保持する耳挟持具であって、側頭部と耳上部との間の耳介側頭溝に嵌って前記レンズや前記機器を支持する支持フレームと、耳輪前方の前記支持フレームに連結された連結点から一方に伸びて耳甲介舟に嵌り、他方にも伸びて耳輪の内側の窪みにも嵌る第二押え部材とを有し、前記支持フレームの前記連結点を支持する回転モーメントが、前記支持フレームと前記第二押え部材とによる耳輪上部の挟持によって阻止されるので、支持フレームがメガネのテンプルとモダンで構成される場合は、例え重量の重いレンズや機器がメガネに取り付けられていても、それらを眼前で確実に固定することができる。
【００２０】
第３発明によれば、一方に伸びて前記耳甲介舟に嵌る一方の第二押え部材と、他方にも伸びて前記耳輪の内側の窪みにも嵌る他方の第二押え部材との間隔が調整可能に構成されているので、耳挟持具をさらに強固に耳に固定することができる。
【００２１】
第４発明によれば、前記第二押え部材が前記連結点を中心として前記耳の上部を前記第一押え部材に押す方向に回動可能に設けられているので、耳のサイズが異なっていても、前記第二押え部材を上下左右方向に三次元的に移動させて、適宜の位置に、適宜の力加減で耳輪上部を挟んで確実に固定することができる。
【００２２】
第５発明によれば、前記支持フレームに連結された前記第二押え部材が前記支持フレームに対して前後方向に移動可能に且つ着脱可能に取り付けられているので、装着する人のサイズに応じてメガネ等の位置を適宜に調整することができる。
【００２３】
第６発明によれば、前記第一押え部材又は前記支持フレームが耳輪の裏側と側頭部との隙間を埋めるブロックを備えているので、第一押え部材又は支持フレームのグラツキを防止して確実に耳に固定することができる。したがって、耳挟持具の装着感を良くすることができる。
【００２４】
第７発明によれば、こめかみと側頭部の一方または双方に当たる前記支持フレームの部位には、緩衝部材が設けられているので、支持フレームの上下左右方向のぶれを無くして、メガネ等を確実に耳に固定することができる。
【００２５】
第８発明によれば、前記支持フレーム又は前記第一押え部材の先端に取り付けられる連結部材が前記支持フレーム又は前記第一押え部材に対し、前記レンズや前記機器を上下方向に跳ね上げる回転軸を備えるとともに、前記レンズや前記機器が前記連結部材に対して前後方向に移動可能に構成されているので、重量の重いレンズや大きく重い機器が眼前に配置される場合でも、それを耳挟持具でもって確実に固定することができる。
【００２６】
第９発明によれば、一対の前記支持フレームの後端部には、後頭部を回って前記支持フレームの前記回転モーメントを相殺する後頭押え部材が上下方向に回動可能及び／又は着脱可能に設けられているので、重量の重いレンズや大きく重い機器が眼前に配置される場合でも、それを耳挟持具でもって確実に固定することができる。
手を使わなくても、電気信号でもって第二押え部材を自在に動かすことができる。また、上下に度の異なるレンズを用いる場合は、それを上下方向に回動させることにより、レンズの度を切り替えることができる。
【００２７】
第１０発明によれば、前記支持フレームの前端部又は前記連結部材の前端部には、前記レンズ又は前記機器が水平方向又は上下方向に回動可能及び／又は着脱可能に取り付けられているので、レンズ部を、水平方向に回動させて眼前から退避させることができる。また、上下に度の異なるレンズを用いる場合は、それを上下方向に回動させることにより、レンズの度を切り替えることができる。
【００２８】
第１１発明によれば、前記連結点には、前記第二押え部材を前記耳甲介舟と前記耳輪の内側の窪みに嵌る方向に回動させる駆動部が設けられているので、手を使わなくても、電気信号でもって第二押え部材を前記耳甲介舟と前記耳輪の内側の窪みに自在に動かすことができる。
【００２９】
第１２発明によれば、前記耳挟持具に眼鏡、ＬＥＤライト付眼鏡、イヤホン、マイクロホン、携帯電話器、携帯電話と通信する通信機器、マスク保持具、耳つぼ指圧具、ウェアラブル機器、カメラ、双眼鏡、耳式血圧装置、血流量センサーの何れかを取り付けて、これらを耳で保持することができる。したがって、頭部に被る必要がないから、ヘアスタイルの乱れを気にすることなくこれらを使用することができる。
【図面の簡単な説明】
【００３０】
【図１】第１発明の実施例を示す側面図である。
【図２】第２発明の実施例を示す斜視図である。
【図３】第３発明の実施例を示す側面図である。
【図４】第３発明の実施例を示す側面図、正面図である。
【図５】第４発明の実施例を示す斜視図である。
【図６】第４発明の実施例を示す斜視図である。
【図７】第５発明の実施例を示す斜視図である。
【図８】第６発明の実施例を示す斜視図である。
【図９】第７発明の実施例を示す斜視図、側面図である。
【図１０】第８発明の実施例を示す側面図である。
【図１１】第９発明の実施例を示す側面図、斜視図である。
【図１２】第１０発明の実施例を示す正面図、側面図である。
【図１３】第１０、第１１発明の実施例を示す斜視図、説明図、側面図である。
【図１４】第１２発明の実施例を示す斜視図、正面図である。
【図１５】第１２発明の実施例を示す斜視図、側面図である。
【図１６】第１２発明の実施例を示す斜視図、側面図、正面図である。
【図１７】第１２発明の実施例を示す側面図、斜視図である。
【図１８】第１２発明の実施例を示す側面図である。
【発明を実施するための形態】
【００３１】
以下、本発明に係る耳挟持具の実施形態の例を、様々な耳挟持具を例にして図面を参照しながら説明する。
【実施例１】
【００３２】
図１（ａ）は第１発明の耳挟持具本体を示す一実施形態の側面図であり、図１（ｂ）は第二押え部材３の後端部が下方に変形した第二押え部材３の側面図であり、図１（ｃ）は連結点７から伸びて耳甲介舟８に嵌る第二押え部材３を左耳に挟持したこと示す側面図である。図１（ｄ）は第１発明の別の耳挟持具として、連結点７から伸びて耳輪５の内側の窪みに嵌る第二押え部材３を示す一実施形態の側面図であり、図１（ｅ）この別の第二押え部材３を取り付けた耳挟持具を左耳に挟持したこと示す側面図である。図１（ｆ）は連結点７から二手に分かれ、耳甲介舟８と耳輪５の内側の窪みに嵌る第二押え部材３を示す側面図である。これらの図において、第１発明の耳挟持具は、側頭部１５と耳上部との間の耳介側頭溝４に嵌る第一押え部材２と、該第一押え部材２の先端に連結された連結点７から一方に伸びて耳甲介舟８に嵌り、他方にも伸びて耳輪５の内側の窪みにも嵌る第二押え部材３とでもって耳輪５上部を挟持することを特徴としている。
【００３３】
第１発明の耳挟持具の第一押え部材２は、耳挟持具を装着する人の側頭部１５と耳の裏側との耳介側頭溝４に嵌って密着する形状である。第二押え部材３はこの第一押え部材２の先端の連結点７から後方に伸びて、耳甲介舟８を下方の内面を押し圧している。この耳甲介舟８は耳の中心でもあり、周縁が軟骨で包囲されているので、第二押え部材３は安定して固定できる。耳輪５の内側の窪みに嵌る第１発明の別の第二押え部材３は、第二押え部材３の後方部が耳輪５の窪みの中に隠れるので、外見から見える部分が最も小さい耳挟持具である。そして、耳挟持具を装着すると、第一押え部材２と第二押え部材３とが連結している連結点７を支点９として、第一押え部材２と第二押え部材３とが耳輪５上部を上下から挟持して、耳挟持具の移動を阻止するため、耳挟持具は耳の所定の位置に保持される。
【００３４】
第１発明の第二押え部材３として示す図１（ｆ）は、連結点７から二手に分かれ耳甲介舟８と耳輪５の内側の窪みに嵌っているので、第一押え部材２との三方向から耳輪５上部を挟持できる。最も確実で安定した耳挟持具である。また、第二押え部材３は耳輪５より外側に突出することなく、耳の内側に収まり、後方に伸びているので、髪の毛に絡まずに装着は容易である。デザイン的にもシンプルである。
【００３５】
図１の実施形態では、耳挟持具は第二押え部材３で耳を保持するが、耳の内側は、凹凸した形状の部分が多数存在している。また、人によって凹凸の形状が異なるので、その変形例として、その人の凹凸の形状の中で、第二押え部材３が嵌り、そこから移動せずに内側を押圧する形状にすることは勿論可能である。窪みのある耳の内側であれば押圧する場所は限定されない。
【００３６】
本発明の第一押え部材２、第二押え部材３の材質は、シリコンゴム、ＡＢＳ、ＣＰ、ポリエステル、アセテート、ＰＶＣ、ポリアミド、ニュクレル、形状記憶樹脂、ベータプラスチック、チタンなどである。第二押え部材３が耳甲介舟８に接する部分の表層材としては、人肌のように柔軟な部材であるエラストマーゲル状ウレタンを用いると良い。また、肌の温度で変形する樹脂も適している。
【００３７】
以下の図では、第１発明の構成部分と同様な部分については、その説明を省略又は簡略化し、第１発明と異なる部分の実施形態について説明する。
【実施例２】
【００３８】
第２発明の耳挟持具は、レンズ２８や機器２９を耳輪５上部で保持する耳挟持具であって、側頭部１５と耳上部との間の耳介側頭溝４に嵌って前記レンズ２８や前記機器２９を支持する支持フレーム１と、耳輪５前方の前記支持フレーム１に連結された連結点７から一方に伸びて耳甲介舟８に嵌り、他方にも伸びて耳輪５の内側の窪みにも嵌る第二押え部材３とを有し、前記支持フレーム１の前記連結点７を支持する回転モーメントが、前記支持フレーム１と前記第二押え部材３とによる耳輪５上部の挟持によって阻止されることを特徴としている。
【００３９】
図２（ａ）は第２発明の耳挟持具本体を示す一実施形態の側面図であり、図２（ｂ）は第２発明の耳挟持具を左耳に挟持した斜視図である。第２発明の支持フレーム１と第１発明の第一押え部材２との相違点は、第２発明の支持フレーム１が連結点７、支点９より前方に伸びている点であり、作用効果は同一である。支持フレーム１が前方に延設されていることにより、支持フレーム１に多種類のレンズ２８や機器２９の取り付けが容易になる。
【００４０】
図２（ｃ）は第２発明の耳挟持具本体の支持フレーム１に設けた第二押え部材３を示す一実施形態の斜視図であり、図２（ｄ）は第二押え部材３が連結点７から伸びて耳輪５の内側の窪みに嵌る第二押え部材３を取り付けた耳挟持具を左耳に挟持したことを示す一実施形態の斜視図である。第二押え部材３は、耳輪５より外側に突出することなく、第二押え部材３の後方部が耳輪５の窪みの中に隠れるので、外見から見える部分が最も小さい耳挟持具である。
【００４１】
図２（ｅ）は第２発明の第二押え部材３として、耳甲介舟８と耳輪５の内側の窪みに嵌るように連結点７から二手に分かれていること示す一実施形態の斜視図である。支持フレーム１との三方向から耳輪５上部を挟持できる。最も確実で安定した耳挟持具である。
【実施例３】
【００４２】
第３発明の耳挟持具は、一方に伸びて前記耳甲介舟８に嵌る一方の第二押え部材３と、他方にも伸びて前記耳輪５の内側の窪みにも嵌る他方の第二押え部材３との間隔が調整可能に構成されていることを特徴としている。
【００４３】
図３（ａ）は第３発明の第二押え部材３が二手に分かれ、分かれた一方の押え部材が耳輪５の内側の窪みに嵌り、他方の押え部材を耳甲介舟８に嵌るように矢印が示す方向に曲げたことを示す一実施形態の側面図である。図３（ｂ）は分かれた一方の押え部材が耳甲介舟８に嵌り、他方の押え部材を耳輪５の内側の窪みに嵌るように矢印が示す方向に曲げたことを示す一実施形態の側面図である。
【００４４】
図３（ｃ）は第３発明の第二押え部材３が二手に分かれ、分かれた一方の押え部材が耳輪５の内側の窪みに嵌り、他方の押え部材に関節６を設け、矢印が示すように耳甲介舟８に嵌めたことを示す一実施形態の側面図である。図３（ｄ）は分かれた一方の押え部材が耳甲介舟８に嵌り、他方の押え部材に関節６を設け、耳輪５の内側の窪みに嵌るように矢印が示す方向に曲げたことを示す一実施形態の側面図である。一方の第二押え部材３を適宜の位置に固定し、他方の第二押え部材３を調整して、様々な人の耳に密着させて挟持感の良い耳挟持具にすることができる。
【００４５】
図４（ａ）、図４（ｂ）は第二押え部材３を一定の力を加えることによって変形する部材とし、上方に曲げて挟持することを示す一実施形態の側面図である。このときの挟持する押し圧の調整が可能である。耳挟持具に係る第二押え部材３が、弾性的に戻る力を利用して耳を挟持する方法として、図４（ｃ）は弾性的に変形する第二押え部材３を指で外側に引っ張り出している正面図である。図４（ｄ）は第二押え部材３を指で下側に押し下げている正面図である。図４（ｅ）は第二押え部材３が弾性による力で内側に戻ることを示す正面図である。図４（ｆ）は第二押え部材３が弾性による力で上方に戻り、耳甲介舟８を下方から押し圧することを示す正面図である。第二押え部材３を指先で摘まみ、一連の動作をすることにより、適宜の力で耳輪５の上部を上下から挟持させるので、簡単に確実に適宜の位置に固定することができる。
【実施例４】
【００４６】
第４発明の耳挟持具は、前記第二押え部材３が前記連結点７を中心として前記耳の上部を前記第一押え部材２に押す方向に回動可能に設けられていることを特徴としている。
【００４７】
図５（ａ）は、第４発明に係る第一回転軸１１及び第二回転軸１２の一実施形態を示し、支持フレーム１に回動可能に取り付けたことを示す斜視図である。第二押え部材３に一定以上の力を加えると、矢印の示す方向である上下方向と水平方向に回動するが、放しても元に戻らないようになっている。図５（ｂ）は第二回転軸１２に取り付けた第二押え部材３を外側に広げて、支持フレーム１を耳に掛けた状態を示す一実施形態の斜視図である。図５（ｃ）は第二押え部材３を耳甲介舟８の窪んだ位置まで内側へ押し入れた状態を示す一実施形態の斜視図である。
【００４８】
図５（ｄ）は第二押え部材３を上方に押し上げて、耳甲介舟８の内側に押し圧した状態を示す一実施形態の斜視図である。これにより、第一回転軸１１と直交している第二回転軸１２が三次元的に回動して、第二押え部材３を耳甲介舟８の中の適宜の位置に入れ易くしている。使用した後は、第二押え部材３を支持フレーム１に沿わせればコンパクトになる。
【００４９】
図６（ａ）は第一回転軸１１及び第二回転軸１２にバネ１７を巻き付けたことを示す一実施形態の斜視図である。第一回転軸１１の外側に巻き付けたバネ１７の一方端を支持フレーム１に固定し、他方端を第二回転軸１２の軸受に固定している。第二回転軸１２の外側に巻き付けたバネ１７の一方端を第二回転軸１２の軸受に固定し、他方端を第二押え部材３に固定している。これにより、矢印が示すように、第二押え部材３の後端部は耳甲介舟８を下方から上方に、外側から内側へ付勢する力が働き、変位した位置から元の位置まで戻り、耳の上部を挟持することができる。付勢する力は三次元的に第二押え部材３を動かし、後端部に設けた柔軟性のある当接部材を適宜の位置に保持することができる。様々な人の耳甲介舟８の形状に対応できる。
【００５０】
図６（ｂ）は第二押え部材３の後端部が耳輪５の内側の窪みに嵌り、耳輪５の窪みを下方から上方に、外側から内側へ付勢する力が働き、変位した位置から元の位置まで戻り、耳の上部を挟持できることを示す一実施形態の斜視図である。第二押え部材３が耳輪５の内側の窪みに接する長さは長く、嵌り易い形状であり、挟持感は非常に良く安定している。図６（ｃ）はバネ１７を取り付けた耳輪５の内側の窪み嵌る第二押え部材３と、バネ１７を取り付けた耳甲介舟８に嵌る第二押え部材３の二本を設けることにより、それぞれに別の付勢する力が働き、広い部分を挟持できるので、非常に安定している。
【実施例５】
【００５１】
第５発明の耳挟持具は、前記支持フレーム１に連結された前記第二押え部材３が前記支持フレーム１に対して前後方向に移動可能に且つ着脱可能に取り付けられていることを特徴としている。
【００５２】
図７（ａ）は第５発明の耳挟持具の第二押え部材３を支持フレーム挟持具２１に取り付け、支持フレーム挟持具２１に設けた溝が支持フレーム１に一定以上の力で嵌め込んだことを示す一実施形態の斜視図である。前後方向に移動可能にすることにより、多く人の適宜な耳の位置に装着可能となる。
【００５３】
図７（ｂ）は第５発明の耳挟持具の第二押え部材３を支持フレーム挟持具２１に取り付け、この支持フレーム挟持具２１が支持フレーム１を上下方向から挟持したことを示す一実施形態の斜視図である。支持フレーム挟持具２１に支持フレーム１を挟み込む上下面に凹部を設け、この凹部に支持フレーム１を上下から嵌め込んで、ネジ２５で締め付けて固定している。太さの異なる形状の支持フレーム１、テンプル２３に対応できる。前後方向に自由に移動させることができるので、レンズと目との間を示す角膜頂点間距離１２ｍｍの調整も可能となる。これにより、市販された眼鏡のテンプル２３に取り付けることができるので、鼻に負担のかからない装着感の良い耳挟持具として便利に使用できる。
【００５４】
図７（ｃ）は、第５発明の耳挟持具の第二押え部材３を支持フレーム挟持具２１に取り付け、この支持フレーム挟持具２１が支持フレーム１を左右方向から挟持したことを示す一実施形態の斜視図である。支持フレーム挟持具２１に支持フレーム１を挟み込む側面に凹部を設け、この凹部に支持フレーム１を左右から嵌め込んで、ネジ２５で締め付けて固定している。高さの異なった形状の支持フレーム１に対応できる。前後方向に自由に移動させることができるので、レンズと目との間を示す角膜頂点間距離１２ｍｍの調整が可能となる。
【００５５】
図７（ｄ）は、第５発明の耳挟持具の第二押え部材３を支持フレーム挟持具２１に取り付け、支持フレーム１に設けた複数の穴に、支持フレーム挟持具２１をネジ２５で締め付けたことを示す一実施形態の斜視図である。支持フレーム挟持具２１には、耳輪５の内側の窪み嵌る第二押え部材３が取り付けられていて、締め付ける穴の位置を代えることにより、前後方向に自由に移動させることができるので、多く人が装着可能となる。横長のシンプルなデザインである。
【実施例６】
【００５６】
第６発明の耳挟持具は、前記第一押え部材２又は前記支持フレーム１が耳輪５の裏側と側頭部１５との隙間を埋めるブロック１０を備えていることを特徴としている。
【００５７】
図８（ａ）は、第６発明のブロック１０を取り付けた耳挟持具を耳に掛けた一実施形態の斜視図である。耳輪５の裏側と側頭部１５との隙間に嵌って密着する形状のブロック１０を、第一押え部材２と一体化させて耳輪５の裏側に設けているので、外側からはブロック１０は目立たない、耳輪５の裏側と側頭部１５とに密着しているので、装着感は良い。そして、ブロック１０を軽量にするために中空にした形状でも良い。
【００５８】
図８（ｂ）は、第６発明のブロック１０がＶ字形状をしている耳挟持具を耳に掛けた一実施形態の斜視図である。耳挟持具を軽く安定的に保持させるために、耳輪５の裏側と側頭部１５に密着しているブロック１０のＶ字形状を拡大させて、横ぶれを防止して固定することができる。
【実施例７】
【００５９】
第７発明の耳挟持具は、こめかみ２２と側頭部の一方または双方に当たる前記支持フレーム１の部位には、緩衝部材１６が設けられていることを特徴としている。
【００６０】
図９（ａ）は、第７発明に係る緩衝部材１６を支持フレーム１に取り付けた一実施形態を示す斜視図であり、図９（ｂ）は、緩衝部材１６を取り付けた眼鏡を掛けた人の一実施形態を示す側面図である。支持フレーム１を装着する様々な人の耳や側頭部１５に合わせるために、最適な位置に緩衝部材１６を取り付けている。柔軟性のある緩衝部材１６で隙間を埋めることにより、大きな機器や重い機器であっても耳挟持具の縦横のぶれを阻止し、装着感を良くすることができる。
【実施例８】
【００６１】
第８発明の耳挟持具は、前記支持フレーム１又は前記第一押え部材２の先端に取り付けられる連結部材１９が前記支持フレーム１又は前記第一押え部材２に対し、前記レンズ２８や前記機器２９を上下方向に跳ね上げる回転軸を備えるとともに、前記レンズ２８や前記機器２９が前記連結部材１９に対して前後方向に移動可能に構成されていることを特徴としている。
【００６２】
図１０（ａ）は第２、第４発明に係る耳挟持具に、第８発明に支持フレーム１の先端に取り付けた連結部材１９に、眼鏡３６のテンプル２３を差し込み、それを人がかけたことを示す一実施形態の側面図であり、 図１０（ｂ）は連結部材１９に差し込んで保持したテンプル２３を、第三回転軸１３によって僅かに上下方向に回動したことを示す一実施形態の側面図である。レンズ２８を適宜の目の高さに合わせることができるので、レンズ２８の上下に異なる度のレンズ２８を嵌め込むことにより遠近両用の眼鏡になる。
【００６３】
図１０（ｃ）はレンズ２８を退避させるためにレンズ２８を前方に引出したことを示す一実施形態の側面図であり、図１０（ｄ）はそのレンズ２８を付けたテンプル２３を上方に上げて退避させたことを示す側面図であり、図１０（ｅ）は連結部材１９に差し込んだテンプル２３が前後方向に移動可能であることを示す一実施形態の説明図である。テンプル２３を前方に引出し、顔面に接しないようにレンズ２８を上方に上げると、第三回転軸１３が締まって拘束されるようになっている。レンズ部を退避させる方法として便利に使用することができる。また、前後方向に移動できることは、眼鏡にとって、最も重要なレンズ２８と目との間の角膜頂点間距離１２ｍｍの調整が可能になり、適宜の位置でレンズ２８を固定することができる。
【実施例９】
【００６４】
第９発明の耳挟持具は、一対の前記支持フレーム１の後端部には、後頭部を回って前記支持フレーム１の前記回転モーメントを相殺する後頭押え部材２０が上下方向に回動可能及び／又は着脱可能に設けられていることを特徴としている。
【００６５】
図１１（ａ）は、第９発明の後頭押え部材２０を一対の支持フレーム１の各後端に取り付け、耳挟持具を取り付けた眼鏡３６を掛けた人の一実施形態の側面図である。後頭押え部材２０が後頭部全体に沿って当接しているので、支持フレーム１に重いレンズ２８を設けても、回転モーメントが受け止められ、長時間装着しても装着感が良く安定して固定することができる。 図１１（ｂ）は第９発明の後頭押え部材２０を一対の支持フレーム１の各後端に取り付けた耳挟持具を示す一実施形態の斜視図である。接続部材２７により後頭押え部材２０の長さ調整と着脱可能である。 図１１（ｃ）は後頭押え部材２０が支持フレーム１にネジ２５で取り付けられ、矢印が示すように上下方向に移動させて、後頭部の形状に合わせることができる。
【実施例１０】
【００６６】
第１０発明の耳挟持具は、前記支持フレーム１の前端部又は前記連結部材１９の前端部には、前記レンズ２８又は前記機器２９が水平方向又は上下方向に回動可能及び／又は着脱可能に取り付けられていることを特徴としている。
【００６７】
図１２（ａ）は第１０発明のレンズ２８を支持フレーム１の前端部に水平方向に回動可能に取り付けたブリッジなし眼鏡３６の一実施形態の正面図であり、図１２（ｂ）はレンズ２８が矢印の示す水平方向に回転して、テンプル２３の外側側面に退避したことを示す一実施形態の側面図である。後頭押え部材２０を設けたブリッジなし眼鏡３６は、支持フレーム１の後端部が後頭押え部材２０に連結されているので、ブリッジなし眼鏡３６をかける時は、後頭押え部材２０を両手で持って外側に開けて頭に嵌める。レンズ２８は必要に応じて移動させれば良い。
【００６８】
図１２（ｃ）は第１０発明の前方上方に回動可能に取り付けたレンズ２８を示す一実施形態の側面図である。支持フレーム１の前端部に設けた眼鏡３６のレンズ２８を、押し上げて退避させることが可能にある。レンズ２８は必要に応じて前面に戻せば良い。図１２（ｄ）は第１０発明の眼鏡３６の左右のブリッジ５６を、中心で連結可能に取り付けたことを示す一実施形態の正面図である。花粉防止レンズのように顔面とレンズ２８との隙間をなくして密着させるためには、ブリッジ５６を接続して眼鏡３６を確実に固定させることが重要になる。図１２（ｅ）は第１０発明の上下方向に回動可能にした支持フレーム１の双眼鏡５２のレンズ２８を示す一実施形態の正面図である。双眼鏡５２のレンズ２８を覗かない時に、矢印が示すように下方に回動させてレンズ２８を退避させることができる。接続部材２７により、着脱は可能である。
【００６９】
第１２図に第五駆動部４５、第六駆動部４６を記載して説明をする。図１２（ａ）は第２発明の支持フレーム１の前端部に設けたレンズ２８を、水平方向に回動可能にするために、第五駆動部４５を取り付けたブリッジなし眼鏡３６の一実施形態の正面図であり、図１２（ｂ）はレンズ２８が矢印の示す水平方向に回転して、テンプル２３の外側側面に退避させたことを示す側面図である。ブリッジなし眼鏡３６は支持フレーム１の後端部に後頭押え部材２０が連結されていて、ブリッジなし眼鏡３６をかける時は、レンズ２８をテンプル２３の外側に退避させておく必要がある。そのため最初にボタン操作で自動的にレンズ２８を回動させて所定の位置に停止させることができる。
【００７０】
図１２（ｅ）は第２発明の支持フレーム１の前端部に、第六駆動部４６を設けた双眼鏡５２のレンズ２８を、上下方向に回動可能にした一実施形態の正面図である。左右の双眼鏡５２のレンズ２８を中心のブリッジで連結しない双眼鏡であり、必要に応じてレンズ２８を電気信号でもってモーターを可動させて退避させることができる。双眼鏡５２には一対の支持フレーム１の各後端に、第９発明の後頭押え部材２０が取り付けられているので、重い双眼鏡であっても装着感が良く、長時間便利に使用できる。
【００７１】
以上の実施形態において、駆動部は、小型モーターのほかに、固定側と可動側にそれぞれ磁石を配置して、設定した位置で可動側が安定し、そこから変位すると、可動側の磁石が固定側の磁石まで移動するような構成であっても良い。
【００７２】
図１３（ｃ）は連結部材１９に第三駆動部４３を設けた一実施形態の側面図である。第三駆動部４３のモーターの回動を小さくすることで、上下に度数の異なったレンズ２８を電気信号でもって変更することができる。図１３（ｄ）はレンズ部２８を前後方向に可動させるために第四駆動部４４を設けたこと示す一実施形態の側面図であり、図１３（ｅ）は連結部材１９の中にテンプル２３を挿入し、第四駆動部４４のモーターの回動でテンプル２３を前後方向に可動すること示す一実施形態の説明図である。図１３（ｆ）は連結部材１９の先端に取り付けたレンズ２８を、第四駆動部４４で前方に押し出した後、連結部材１９に設けた第三駆動部４３のモーターの回動でレンズ部２８を上方に上げ、レンズ２８を退避させたことを示す一実施形態の説明図である。第三駆動部４３、第四駆動部４４によってレンズ２８の一連の動作を自動化できる。レンズ２８や機器２９の装着位置を自動的に調整することができる。
【実施例１１】
【００７３】
第１１発明の耳挟持具は、前記連結点７には、前記第二押え部材３を前記耳甲介舟８と前記耳輪５の内側の窪みに嵌る方向に回動させる駆動部が設けられていることを特徴としている。
【００７４】
図１３（ａ）、図１３（ｂ）は第２、第４発明に係る第一回転軸１１及び第二回転軸１２に第１１発明の第一駆動部４１、第二駆動部４２を設けたことを示す一実施形態の斜視図である。矢印が示すように二個のモーターの連動により、三次元的な動きが可能となる。電気信号でもって下側押え部３を内側に動きながら上方に動いて、自動的に耳甲介舟８に密着させて耳上部を挟持することができる。
【実施例１２】
【００７５】
第１２発明の耳挟持具は、前記耳挟持具に、眼鏡３６、ＬＥＤライト付眼鏡３７、イヤホン３８、マイクロホン３９、携帯電話器４０、携帯電話と通信する通信機器４７、マスク係止具４８、耳つぼ指圧具４９、ウェアラブル機器５０、カメラ５１、双眼鏡５２、耳式血圧装置５３、血流量センサー５４の何れかかが取り付けられていることを特徴としている。
【００７６】
第１４（ａ）図は第２、第４発明に係る耳挟持具を設けた第１７発明の眼鏡３６を示す一実施形態の斜視図である。一定の力を加えると変形する部材の支持フレーム１と弾性的に変形する第二押え部材３を使用することにより、多く人の耳に対応して挟持できるので、サイズの異なる複数の製品を大量に製作することができる。様々なメガネに対応できるが、特に３Ｄ用メガネに適している。第１４（ｂ）図は第２、第４発明に係る耳挟持具を設けた第１２発明の眼鏡３６を示す一実施形態の側面図である。直交する第一回転軸１１と第二回転軸１２により、第二押え部材３を三次元的に動かして、耳甲介舟８に嵌めることができる。老眼鏡、サングラス、ウェアラブル機器を取り付けたメガネなどに使用できる。図示しないが、耳挟持具のテンプル２３を折り畳む時には、第二押え部材３をテンプル２３に沿わせることによって、コンパクトに収納できるので便利である。
【００７７】
第１４（ｃ）図は第２、第４発明に係る耳挟持具の支持フレーム１の後端部にバッテリー１８を取り付け、眼鏡枠の前面にＬＥＤ３７を設けた第１２発明の眼鏡３６を示す一実施形態の正面図である。眼鏡枠の前面にＬＥＤライト３７を備え、目に光が入らないようにすることにより、ＬＥＤライト３７の明るさを調整しながら対象物を見ることが容易になる。第１４（ｄ）図は第２、第３、第４、第６、第７発明に係る耳挟持具を取り付けた第１２発明の一眼用眼鏡３６を示す一実施形態の斜視図である。支持フレーム１と耳介側頭溝４に嵌るブロック１０を側頭に広い範囲に当接するように拡大させ、バネ１７を取り付けて直交する第一回転軸１１と第二回転軸１２、側頭とテンプル２３との隙間を埋める緩衝部材１６により、確実に一眼用眼鏡３６をかけることができる。第１４（ｅ）図は左側のレンズ２８を取り付けた支持フレーム１に第９発明の後頭押え部材２０を取り付けた一眼用眼鏡３６を示す一実施形態の正面図である。一眼用眼鏡３６を確実に安定させて保持させる最も良い形態であり、髪の毛の長い人がかけた場合、後頭押え部材２０は髪の毛の中に隠れて見えない。
【００７８】
本発明で言う眼鏡は、眼鏡全般であって、ＴＶ・映画用３Ｄ用メガネ、サングラス、遮光メガネ、防塵メガネ、風防メガネ、カメラを取り付けたメガネ、拡大鏡を取り付けたメガネ、ライトを取り付けたメガネ、剣道用メガネ、ウェアラブルを取り付けたメガネ、スクリーンに表示される画像を観察するための画像観察用メガネ、拡張現実（ＡＲ）機能を備えたメガネ、手術用メガネ、花粉防止メガネ等である。
【００７９】
第１５（ａ）図は第１発明の耳挟持具の連結点７に取り付けた第１２発明のイヤホン３８を示す一実施形態の側面図である。イヤホン３８はアタッチメント５５に取り付けられ、他の機器と交換可能である。連結点７は耳挟持具の支点９でもあり、イヤホン３８を確実に取り付けて安定して保持できる。図示しないが、無線イヤホン、骨伝導イヤホン、補聴器なども取り付けることができる。第１５（ｂ)図は第３発明に係る耳挟持具の連結点７に第１２発明のマイクロホン３９とイヤホン３８を取り付け、二手に分かれた第二下側押え部材３にカバーをかけたことを示す一実施形態の側面図である。第二下側押え部材３により確実にマイクロホン３９とイヤホン３８を取り付けて安定して保持できる。
【００８０】
第１５（ｃ)図は第４、第５発明の支持フレーム挟持具２１に第１７発明のマイクロホン３９とイヤホン３８を取り付けた一実施形態の斜視図である。通常使用している眼鏡３６のテンプル２３に着脱自在に取り付け、眼鏡３６の挟持位置の調整ができる。第１５（ｄ)図は第２、第５発明に係る耳挟持具の支持フレーム１に設けた第二押え部材３に第１７発明のイヤホン３８を取り付けた一実施形態の斜視図である。矢印の示すように第二押え部材３とイヤホン３８を三次元的に移動させて、耳甲介舟８と外耳道に嵌めるのでイヤホン３８は外れにくい。
【００８１】
第１５（ｅ)図は第１、第４発明に係る耳挟持具の連結部７にイヤホン３８を取り付け、このイヤホン３８に、第１２発明の小型の血流量センサー５４を搭載したこと示す一実施形態の側面図である。センサーはレーザー光を血管に向けて照射し、反射光の強さなどから血流量を検知する。血流量はストレスや血圧、脱水、熱中症などによって変動するため、体の状態を測定、記録ができる。第１５（ｆ)図は第１、第３、第４発明に係る耳挟持具に、第１２発明の耳装着型の携帯電話器４０を二手に分かれた第二押え部材３に取り付けた一実施形態の側面図である。外耳道に挿入しているイヤホン３８と耳輪５の内側の窪みと耳甲介舟８に嵌っている第二押え部材３により、安定して保持することができる。携帯電話器４０の着脱は第一回転軸１１、第二回転軸１２を三次元的に回動させれば容易にできる。
【００８２】
第１５（ｇ)図は第１、第４発明に係る耳挟持具に第１２発明のイヤホン３８と携帯電話と通信する通信機器４７を取り付けた一実施形態の側面図である。携帯電話と通信する通信機器４７を第二押え部材３に取り付け確実に保持し、着脱は容易にしている。第１５（ｈ)図は第１発明に係る耳挟持具の連結点７にイヤホン３８を取り付け、第一押え部材２に第１２発明のマスク係止具４８を取り付けたことを示す一実施形態の側面図である。マスク係止具４８は耳介側頭溝４から耳朶の裏側まで嵌るので、マスクの紐は耳に食い込まない。マスクをかけながらイヤホン３８を聞くことができる。アタッチメント５５によりイヤホン３８の着脱は容易である。
【００８３】
第１６（ａ)図は第１発明の耳挟持具の第一押え部材２の後端に、第１２発明のマスク係止具４８を取り付けたことを示す一実施形態の斜視図であり、第１６（ｂ)図は第１２発明のマスク係止具４８に設けた溝にマスクの紐を引っ掛け、そのマスクをしている人を示す一実施形態の側面図である。マスク係止具４８は第一押え部材２から耳朶まで延設されており、マスクの紐が耳介側頭溝２に接することはなく、マスクの紐を強く引っ張って長時間かけていても装着感は非常に良い。マスク係止具４８の材質は柔軟性のあるシリコンゴムが良い。
【００８４】
第１６（ｃ)図は耳輪５の内側の窪みに嵌る第二押え部材３を設けた第１発明の耳挟持具に、第１２発明のマスク係止具４８を取り付けたことを示す一実施形態の斜視図であり、第１６（ｄ)図は第１２発明のマスク係止具４８に設けた溝にマスクの紐を引っ掛け、そのマスクをしている人を示す一実施形態の側面図である。マスク係止具４８はシンプルで目立たずマスクを長時間かけても装着感は良い。
【００８５】
第１６（ｅ)図は第２、第４発明に係る耳装着具に、第１２発明のマスク係止具４８を嵌め込んだ一実施形態の側面図であり、第１６（ｆ)図は支持フレーム１に嵌め込むために、貫通孔３２を設けたマスク係止具４８の正面図である。支持フレーム１に嵌め込んだマスク係止具４８の着脱を容易にするために貫通孔３２を設け、マスクの紐を嵌める溝３１を設けている。貫通孔３２は所定以上の力で支持フレーム１を挟むのでマスク係止具４８は外れない。マスクをした場合、マスクの紐を強く引っ張って長時間かけても装着感は良い。
【００８６】
第１７（ａ)図は第１発明の耳挟持具の連結点７に第１２発明の耳つぼ指圧器４９を取り付けたことを示す一実施形態の側面図である。耳つぼ指圧器４９は耳珠３３に当接して、耳珠３３の中にある起点と言うツボを押して刺激するとダイエットの効果がある。第１７（ｂ)図は第１発明の耳挟持具に第１７発明のマスク係止具４８と耳つぼ指圧器４９を取り付けたことを示す一実施形態の側面図である。マスクをかけながらダイエットが可能となる。
【００８７】
第１７（ｃ)図は第２、第５、第６発明に係る耳挟持具に第１７発明の耳つぼ指圧器４９を取り付けたことを示す一実施形態の斜視図である。矢印が示すようにバネ１７の付勢する力で、耳甲介舟８と耳珠３３を押し圧するので耳ツボは刺激され、眼鏡をかけている間にダイエットできる。
【００８８】
第１８（ａ)図は第２、第５、第１１、第１２発明に係る耳挟持具の支持フレーム１に、メガネ型の第１７発明のウェアラブル機器５０を設けたことを示す一実施形態の側面図である。後頭押え部材２０を設けることにより、回転モーメントを相殺するので、拡張現実（ＡＲ）機能を備えた重量の重いウェアラブル機器５０でも安定して保持できる。第１８（ｂ)図は第２、第５、第１１、第１２発明に係る耳挟持具の支持フレーム１にズーム機能を備えた第１７発明のカメラ５１を取り付け、目の前にディスプレイ３４を設けたことを示す一実施形態の側面図である。側頭に設けたカメラ５１で撮った映像を、ディスプレイ３４で見るようにしたウェアラブル機器５０に、第二下側押え部材３から延設したイヤホン３８を耳に挿入している。後頭押え部材２０を設け、二個の第二下側押え部材３を取り付けることにより、回転モーメントを相殺するので、長時間かけていても装着感は非常に良い。ディスプレイ３４を回動可能に取り付けて、不必要な時、退避させることもできる。
【００８９】
第１８（ｃ)図は第２、第５、第１０、第１１、第１２発明に係る耳挟持具の支持フレーム１に第三駆動部４３を設けた連結部材１９を取り付け、この連結部材１９に第１７発明のメガネ型の双眼鏡５２を設けたことを示す一実施形態の側面図である。後頭押え部材２０と前頭部上に前頭押え部材３５を設けることにより、回転モーメントを相殺できるので、重い双眼鏡５２を長時間かけても装着感は非常に良い。手術用の顕微鏡を支持フレーム１に取り付けることも可能である。第１５（ｃ)図、（ｆ)図に記載した第三駆動部４３を設けることにより、双眼鏡５２のレンズ２８を電動で退避できる。
【００９０】
第１８（ｄ)図は第１、第３、第５発明に係る耳挟持具の連結点7に第１７発明の耳式血圧装置５３を設けたことを示す一実施形態の側面図である。耳式血圧装置５３で２４時間血圧の測定、記録ができる。以上、説明したように本願発明の耳挟持具は、耳に装着可能な全てのレンズ２８、機器２９など製品に備えて使用することができる。
【符号の説明】
【００９１】
１  支持フレーム
２  第一押え部材
３  第二押え部材
４  耳介側頭溝
５  耳輪 
６  関節 
７  連結点
８  耳甲介舟
９  支点
１０ ブロック
１１ 第一回転軸
１２ 第二回転軸
１３ 第三回転軸 
１５ 側頭部
１６ 緩衝部材
１７ バネ
１８ バッテリー
１９ 連結部材 
２０ 後頭押え部材
２１ 支持フレーム挟持具
２２ こめかみ
２３ テンプル
２４ モダン
２５ ネジ
２６ 補助部材
２７ 接続部材
２８ レンズ
２９ 機器
３０ 針金
３１  溝
３２ 貫通孔
３３ 耳珠
３４ ディスプレイ
３５ 前頭押え部材
３６ 眼鏡
３７ ＬＥＤライト
３８ イヤホン
３９ マイクロホン
４０ 携帯電話器
４１ 第一駆動部
４２ 第二駆動部
４３ 第三駆動部
４４ 第四駆動部
４５ 第五駆動部
４６ 第六駆動部
４７ 携帯電話と通信する通信機器
４８ マスク係止具
４９ 耳つぼ指圧具
５０ ウェアラブル機器
５１ カメラ
５２ 双眼鏡
５３ 耳式血圧装置
５４ 血流量センサー
５５ アタッチメント
５６ ブリッジ
【手続補正２】
【補正対象書類名】特許請求の範囲
【補正対象項目名】全文
【補正方法】変更
【補正の内容】
【特許請求の範囲】
【請求項１】
側頭部と耳上部との間の耳介側頭溝に嵌る第一押え部材と、該第一押え部材の先端に連結された連結点から一方に伸びて耳甲介舟に嵌り、他方にも伸びて耳輪の内側の窪みにも嵌る第二押え部材とでもって耳輪上部を挟持することを特徴とする耳挟持具。
【請求項２】
レンズや機器を耳輪上部で保持する耳挟持具であって、側頭部と耳上部との間の耳介側頭溝に嵌って前記レンズや前記機器を支持する支持フレームと、耳輪前方の前記支持フレームに連結された連結点から一方に伸びて耳甲介舟に嵌り、他方にも伸びて耳輪の内側の窪みにも嵌る第二押え部材とを有し、前記支持フレームの前記連結点を支持する回転モーメントが、前記支持フレームと前記第二押え部材とによる耳輪上部の挟持によって阻止されることを特徴とする耳挟持具。  
【請求項３】
一方に伸びて前記耳甲介舟に嵌る一方の第二押え部材と、他方にも伸びて前記耳輪の内側の窪みにも嵌る他方の第二押え部材との間隔が調整可能に構成されていることを特徴とする請求項１又は２に記載の耳挟持具。
【請求項４】
前記第二押え部材が前記連結点を中心として前記耳の上部を前記第一押え部材に押す方向に回動可能に設けられている請求項１から３の何れかに記載の耳挟持具。
【請求項５】
前記支持フレームに連結された前記第二押え部材が前記支持フレームに対して前後方向に移動可能に且つ着脱可能に取り付けられていることを特徴とする請求項２、３，４の何れかに記載の耳挟持具。
【請求項６】
前記第一押え部材又は前記支持フレームが耳輪の裏側と側頭部との隙間を埋めるブロックを備えていることを特徴とする請求項１から５の何れかに記載の耳挟持具。
【請求項７】
こめかみと側頭部の一方または双方に当たる前記支持フレームの部位には、緩衝部材が設けられていることを特徴とする請求項２又は５又は６に記載の耳挟持具。
【請求項８】
前記支持フレーム又は前記第一押え部材の先端に取り付けられる連結部材が前記支持フレーム又は前記第一押え部材に対し、前記レンズや前記機器を上下方向に跳ね上げる回転軸を備えるとともに、前記レンズや前記機器が前記連結部材に対して前後方向に移動可能に構成されていることを特徴とする請求項２、５，６，７の何れかに記載の耳挟持具。
【請求項９】
一対の前記支持フレームの後端部には、後頭部を回って前記支持フレームの前記回転モーメントを相殺する後頭押え部材が上下方向に回動可能及び／又は着脱可能に設けられていることを特徴とする請求項２又は５から８の何れかに記載の耳挟持具。
【請求項１０】
前記支持フレームの前端部又は前記連結部材の前端部には、前記レンズ又は前記機器が水平方向又は上下方向に回動可能及び／又は着脱可能に取り付けられていることを特徴とする請求項２又は５から９の何れかに記載の耳挟持具。
【請求項１１】
前記連結点には、前記第二押え部材を前記耳甲介舟と前記耳輪の内側の窪みに嵌る方向に回動させる駆動部が設けられていることを特徴とする請求項４に記載の耳挟持具。
【請求項１２】
前記耳挟持具に、眼鏡、ＬＥＤライト付眼鏡、イヤホン、マイクロホン、携帯電話器、携帯電話と通信する通信機器、マスク係止具、耳つぼ指圧具、ウェアラブル機器、カメラ、双眼鏡、耳式血圧装置、血流量センサーの何れかかが取り付けられていることを特徴とする請求項１から１１の何れかに記載の耳挟持具。
【手続補正４】
【補正対象書類名】図面
【補正対象項目名】全図
【補正方法】変更
【補正の内容】
【図１】
2018112662.tif 000045
【図２】
2018112662.tif 000046
【図３】
2018112662.tif 000047
【図４】
2018112662.tif 000048
【図５】
2018112662.tif 000049
【図６】
2018112662.tif 000050
【図７】
2018112662.tif 000051
【図８】
2018112662.tif 000052
【図９】
2018112662.tif 000053
【図１０】
2018112662.tif 000054
【図１１】
2018112662.tif 000055
【図１２】
2018112662.tif 000056
【図１３】
2018112662.tif 000057
【図１４】
2018112662.tif 000058
【図１５】
2018112662.tif 000059
【図１６】
2018112662.tif 000060
【図１７】
2018112662.tif 000061
【図１８】
2018112662.tif 000062